(57)【要約】  無線通信システムにおけるシステム情報のための制御資源セットを決定するための方法及び装置が提供される。端末（ＵＥ；ｕｓｅｒ  ｅｑｕｉｐｍｅｎｔ）はＳＳ（ｓｙｎｃｈｒｏｎｉｚａｔｉｏｎ  ｓｉｇｎａｌ）ブロックを介してＲＭＳＩ（ｒｅｍａｉｎｉｎｇ  ｓｙｓｔｅｍ  ｉｎｆｏｒｍａｔｉｏｎ）用制御資源セット（ＣＯＲＥＳＥＴ；ｃｏｎｔｒｏｌ  ｒｅｓｏｕｒｃｅ  ｓｅｔ）の構成をネットワークから受信し、前記構成によって前記ＲＭＳＩ用制御資源セットを決定する。前記ＳＳブロックは、ＰＢＣＨ（ｐｈｙｓｉｃａｌ  ｂｒｏａｄｃａｓｔ  ｃｈａｎｎｅｌ）を含むことができる。前記ＲＭＳＩに対する共通検索空間（ＣＳＳ；ｃｏｍｍｏｎ  ｓｅａｒｃｈ  ｓｐａｃｅ）の時間及び周波数位置はＴＤＭ（ｔｉｍｅ  ｄｉｖｉｓｉｏｎ  ｍｕｌｔｉｐｌｅｘｉｎｇ）またはＦＤＭ（ｆｒｅｑｕｅｎｃｙ  ｄｉｖｉｓｉｏｎ  ｍｕｌｔｉｐｌｅｘｉｎｇ）のうち、少なくとも１つにより前記ＳＳブロックと整列できる。【選択図】図２０
2020502907.tif 000002
【特許請求の範囲】
【請求項１】
無線通信システムにおける端末（ＵＥ；ｕｓｅｒ  ｅｑｕｉｐｍｅｎｔ）によるシステム情報のための制御資源セットを決定する方法において、
ＳＳ（ｓｙｎｃｈｒｏｎｉｚａｔｉｏｎ  ｓｉｇｎａｌ）ブロックを介してネットワークからＲＭＳＩ（ｒｅｍａｉｎｉｎｇ  ｓｙｓｔｅｍ  ｉｎｆｏｒｍａｔｉｏｎ）のための制御資源セットの構成を受信し、
前記構成によって前記ＲＭＳＩのための前記制御資源セットを決定することを含み、
前記ＳＳブロックはＰＢＣＨ（ｐｈｙｓｉｃａｌ  ｂｒｏａｄｃａｓｔ  ｃｈａｎｎｅｌ）を含むことを特徴とする、方法。
【請求項２】
前記ＲＭＳＩのためのＣＳＳ（ｃｏｍｍｏｎ  ｓｅａｒｃｈ  ｓｐａｃｅ）の時間及び周波数位置は、ＴＤＭ（ｔｉｍｅ  ｄｉｖｉｓｉｏｎ  ｍｕｌｔｉｐｌｅｘｉｎｇ）またはＦＤＭ（ｆｒｅｑｕｅｎｃｙ  ｄｉｖｉｓｉｏｎ  ｍｕｌｔｉｐｌｅｘｉｎｇ）のうち、少なくとも１つにより前記ＳＳブロックと整列されることを特徴とする、請求項１に記載の方法。
【請求項３】
前記制御資源セットのためのビームインデックスは、前記ＳＳブロックのためのビームインデックスと同一であることを特徴とする、請求項２に記載の方法。
【請求項４】
前記構成は、前記ＲＭＳＩのための前記ＣＳＳの帯域幅、オフセットにより表現される周波数位置、前記ＲＭＳＩのための前記ＣＳＳに対して使われるヌメロロジー、前記ＲＭＳＩのモニタリングのための前記ＣＳＳの周期、またはデューレーション及び前記制御資源セットの開始シンボルのうち、少なくとも１つを含むことを特徴とする、請求項２に記載の方法。
【請求項５】
前記ＲＭＳＩのためのＣＳＳの周波数位置は、前記ＳＳブロックと整列されることを特徴とする、請求項１に記載の方法。
【請求項６】
前記ＲＭＳＩのためのＣＳＳの周波数位置は、前記ＳＳブロックと整列されないことを特徴とする、請求項１に記載の方法。
【請求項７】
前記ＲＭＳＩのためのＣＳＳの周波数位置は前記ＳＳブロックと整列されないが、前記ＲＭＳＩの周波数位置は前記ＳＳブロックと整列されることを特徴とする、請求項１に記載の方法。
【請求項８】
前記ＲＭＳＩのための前記制御資源セットは、各複数のビーム別に決定されることを特徴とする、請求項１に記載の方法。
【請求項９】
前記ＲＭＳＩのための前記制御資源セットは、各複数のＢＷＰ（ｂａｎｄｗｉｄｔｈ  ｐａｒｔ）別に決定されることを特徴とする、請求項１に記載の方法。
【請求項１０】
前記ＲＭＳＩのための前記制御資源セットは、前記ＳＳブロックのための資源と重ねるＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル上でレートマッチングされることを特徴とする、請求項１に記載の方法。
【請求項１１】
前記ＲＭＳＩのための前記制御資源セットは、前記ＳＳブロックのための資源の全体ＯＦＤＭシンボル上でレートマッチングされることを特徴とする、請求項１に記載の方法。
【請求項１２】
各ビーム方向に対して前記ＲＭＳＩのための別個の資源が指示されることを特徴とする、請求項１に記載の方法。
【請求項１３】
前記ＳＳブロックは、ＣＳＩ−ＲＳ（ｃｈａｎｎｅｌ  ｓｔａｔｅ  ｉｎｆｏｒｍａｔｉｏｎ  ｒｅｆｅｒｅｎｃｅ  ｓｉｇｎａｌ）が構成される前に構成されることを特徴とする、請求項１に記載の方法。
【請求項１４】
前記ＳＳブロックは、ＰＳＳ（ｐｒｉｍａｒｙ  ｓｙｎｃｈｒｏｎｉｚａｔｉｏｎ  ｓｉｇｎａｌ）またはＳＳＳ（ｓｅｃｏｎｄａｒｙ  ｓｙｎｃｈｒｏｎｉｚａｔｉｏｎ  ｓｉｇｎａｌ）のうち、少なくとも１つを含み、
前記ＰＳＳまたはＳＳＳのうちの少なくとも１つは、ＲＬＭ（ｒａｄｉｏ  ｌｉｎｋ  ｍｏｎｉｔｏｒｉｎｇ）のために使われることを特徴とする、請求項１に記載の方法。
【請求項１５】
無線通信システムにおける端末（ＵＥ；ｕｓｅｒ  ｅｑｕｉｐｍｅｎｔ）において、
メモリと、
送受信部と、
前記メモリ及び前記送受信部と連結されるプロセッサとを含み、
前記プロセッサは、
ＳＳ（ｓｙｎｃｈｒｏｎｉｚａｔｉｏｎ  ｓｉｇｎａｌ）ブロックを介してネットワークからＲＭＳＩ（ｒｅｍａｉｎｉｎｇ  ｓｙｓｔｅｍ  ｉｎｆｏｒｍａｔｉｏｎ）のための制御資源セットの構成を受信するように前記送受信部を制御し、
前記構成によって前記ＲＭＳＩのための前記制御資源セットを決定するように構成され、
前記ＳＳブロックはＰＢＣＨ（ｐｈｙｓｉｃａｌ  ｂｒｏａｄｃａｓｔ  ｃｈａｎｎｅｌ）を含むことを特徴とする、端末。
【発明の詳細な説明】
【技術分野】
【０００１】
本発明は無線通信に関し、より詳しくは、無線通信システムにおけるＮＲ（ｎｅｗ  ｒａｄｉｏ  ａｃｃｅｓｓ  ｔｅｃｈｎｏｌｏｇｙ）に対する制御チャンネルを構成するための方法及び装置に関する。
【背景技術】
【０００２】
３ＧＰＰ  ＬＴＥは、高速パケット通信を可能とするための技術である。ＬＴＥ目標であるユーザと事業者の費用節減、サービス品質向上、カバレッジ拡張及びシステム容量増大のために多くの方式が提案された。３ＧＰＰ  ＬＴＥは、上位レベル必要条件として、ビット当たり費用節減、サービス有用性向上、周波数バンドの柔軟な使用、簡単な構造、開放型インターフェース及び端末の適切な電力消費を要求する。
【０００３】
より多くの通信機器がより大きな通信容量を要求することにより、既存の無線アクセス技術に比べて改善されたモバイルブロードバンド通信が必要である。また、複数の機器及び事物を接続していつでもどこでも多様なサービスを提供する巨大ＭＴＣ（ｍａｃｈｉｎｅ  ｔｙｐｅ  ｃｏｍｍｕｎｉｃａｔｉｏｎ）も次世代通信において考慮される主要イシューの１つである。さらに、信頼性及び遅延に敏感なサービス／端末（ＵＥ：ｕｓｅｒ  ｅｑｕｉｐｍｅｎｔ）を考慮した通信システム設計が論議されている。このように向上したモバイルブロードバンド通信（ｅＭＢＢ：ｅｎｈａｎｃｅｄ  ｍｏｂｉｌｅ  ｂｒｏａｄｂａｎｄ  ｃｏｍｍｕｎｉｃａｔｉｏｎ）、巨大ＭＴＣ、ＵＲＬＬＣ（ｕｌｔｒａ−ｒｅｌｉａｂｌｅ  ａｎｄ  ｌｏｗ  ｌａｔｅｎｃｙ  ｃｏｍｍｕｎｉｃａｔｉｏｎ）などを考慮した次世代無線アクセス技術の導入が論議されており、便宜上、このような新しい技術は新しい無線アクセス技術（ｎｅｗ  ｒａｄｉｏ  ａｃｃｅｓｓ  ｔｅｃｈｎｏｌｏｇｙ（ＲＡＴ）又はＮＲ）と呼ばれることができる。
【０００４】
ミリメートル波（ｍｍＷ）帯域では波長が短くなって同一面積に複数のアンテナが設置されることができる。例えば、３０ＧＨｚ帯域で波長は１ｃｍであり、５×５ｃｍ２のパネルに０．５λ（波長）間隔で２次元配列形態で計１００個のアンテナ要素が設置されることができる。従って、ｍｍＷ帯域では、複数のアンテナ要素を用いてビームフォーミング（ｂｅａｍｆｏｒｍｉｎｇ）利得を向上させてカバレッジを増加させるか、処理量（ｔｈｒｏｕｇｈｐｕｔ）を向上させることができる。
【０００５】
この場合、アンテナ要素別に送信パワー及び位相の調節ができるように送受信部を有すると、周波数リソース別に独立的なビームフォーミングが可能である。しかしながら、１００個余りのアンテナ要素の全てに送受信部を設置すると、コストの側面で実効性が低下する問題がある。従って、１つの送受信部に複数のアンテナ要素をマッピングし、アナログ位相シフタ（ａｎａｌｏｇ  ｐｈａｓｅ  ｓｈｉｆｔｅｒ）でビームの方向を調節する方式が考慮されている。このようなアナログビームフォーミング方式は、全帯域に亘って１つのビーム方向のみを作ることができるため、周波数選択的ビームフォーミングができないという欠点がある。
【０００６】
デジタルビームフォーミングとアナログビームフォーミングの中間形態として、Ｑ個のアンテナ要素より少ない数であるＢ個の送受信部を有するハイブリッドビームフォーミングを考慮することができる。この場合、Ｂ個の送受信部とＱ個のアンテナ要素の接続方式によって異なるが、同時に送信できるビームの方向はＢ個以下に制限される。
【０００７】
ＮＲを効率的に運営するために多様な方法が論議された。
【発明の概要】
【発明が解決しようとする課題】
【０００８】
本発明は無線通信に関し、より詳しくは、無線通信システムにおけるＮＲ（ｎｅｗ  ｒａｄｉｏ  ａｃｃｅｓｓ  ｔｅｃｈｎｏｌｏｇｙ）に対する制御チャンネルを構成するための方法及び装置に関する。本発明は、ネットワークの単一または多重ビーム動作が使用できるＮＲで制御チャンネルの構成を議論する。
【課題を解決するための手段】
【０００９】
一態様において、無線通信システムにおける端末（ＵＥ；ｕｓｅｒ  ｅｑｕｉｐｍｅｎｔ）によるシステム情報のための制御資源セットを決定する方法が提供される。前記方法はＳＳ（ｓｙｎｃｈｒｏｎｉｚａｔｉｏｎ  ｓｉｇｎａｌ）ブロックを介してネットワークからＲＭＳＩ（ｒｅｍａｉｎｉｎｇ  ｓｙｓｔｅｍ  ｉｎｆｏｒｍａｔｉｏｎ）のための制御資源セットの構成を受信し、前記構成によって前記ＲＭＳＩのための前記制御資源セットを決定することを含み、前記ＳＳブロックはＰＢＣＨ（ｐｈｙｓｉｃａｌ  ｂｒｏａｄｃａｓｔ  ｃｈａｎｎｅｌ）を含む。
【００１０】
他の様態において、無線通信システムにおける端末（ＵＥ；ｕｓｅｒ  ｅｑｕｉｐｍｅｎｔ）が提供される。前記端末は、メモリ、送受信部、及び前記メモリ及び前記送受信部と連結されるプロセッサを含む。前記プロセッサは、ＳＳ（ｓｙｎｃｈｒｏｎｉｚａｔｉｏｎ  ｓｉｇｎａｌ）ブロックを介してネットワークからＲＭＳＩ（ｒｅｍａｉｎｉｎｇ  ｓｙｓｔｅｍ  ｉｎｆｏｒｍａｔｉｏｎ）のための制御資源セットの構成を受信するように前記送受信部を制御し、前記構成によって前記ＲＭＳＩのための前記制御資源セットを決定するように構成され、前記ＳＳブロックはＰＢＣＨ（ｐｈｙｓｉｃａｌ  ｂｒｏａｄｃａｓｔ  ｃｈａｎｎｅｌ）を含む。
【発明の効果】
【００１１】
制御チャンネルまたは制御資源セットが効率よく定義できる。
【図面の簡単な説明】
【００１２】
【図１】３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ−ｔｅｒｍ  ｅｖｏｌｕｔｉｏｎ）システムを示す。
【図２】３ＧＰＰ  ＬＴＥの無線フレームの構造を示す。
【図３】１つのダウンリンクスロットに対する資源グリッド（ｒｅｓｏｕｒｃｅ  ｇｒｉｄ）を示す。
【図４】ＮＲに対するサブフレームタイプの例を示す。
【図５】本発明の一実施形態に従うビーム獲得の例を図示する。
【図６】本発明の一実施形態に従って各スロットにマッピングされる多重ＳＳブロックの例を示す。
【図７】本発明の実施形態に従ってＲＭＳＩを構成する例を図示する。
【図８】本発明の実施形態に従ってＲＭＳＩを構成する更に他の例を図示する。
【図９】本発明の実施形態に従ってＲＭＳＩを構成する更に他の例を図示する。
【図１０】本発明の実施形態に従ってＲＭＳＩを構成する更に他の例を図示する。
【図１１】本発明の一実施形態に従うビームインデックスの処理例を図示する。
【図１２】本発明の一実施形態に従うビームインデックスの他の処理例を図示する。
【図１３】本発明の一実施形態に従うビームインデックスの他の処理例を図示する。
【図１４】本発明の一実施形態に従う他のＳＩＢ受信の例を図示する。
【図１５】本発明の一実施形態に従う他のＳＩＢ受信の例を示す。
【図１６】本発明の一実施形態に従う固定／柔軟ＣＯＲＥＳＥＴ構成の例を図示する。
【図１７】本発明の一実施形態に従うＣＣＥマッピングの一例を示す。
【図１８】本発明の一実施形態に従うＲＭＳＩ及びＳＳブロック転送の例を図示する。
【図１９】本発明の一実施形態に従うＲＢＧ及びＰＲＢグリッドオフセットの例を図示する。
【図２０】本発明の実施形態に従ってＵＥによりシステム情報のための制御資源セットを決定する方法を示す。
【図２１】本発明の一実施形態を具現するための無線通信システムを示す。
【発明を実施するための形態】
【００１３】
図１は、３ＧＰＰ（３ｒｄ  ｇｅｎｅｒａｔｉｏｎ  ｐａｒｔｎｅｒｓｈｉｐ  ｐｒｏｊｅｃｔ）ＬＴＥ（ｌｏｎｇ−ｔｅｒｍ  ｅｖｏｌｕｔｉｏｎ）システムを示す。３ＧＰＰ  ＬＴＥシステム１０は、少なくとも１つのｅＮＢ（ｅｖｏｌｖｅｄ  ＮｏｄｅＢ）１１を含む。各ｅＮＢ１１は、特定の地理的領域（一般に、セルという）１５ａ、１５ｂ、１５ｃに対して通信サービスを提供する。各セルは、複数の領域（セクターという）にさらに分けられる。端末（ＵＥ：ｕｓｅｒ  ｅｑｕｉｐｍｅｎｔ）１２は、固定されるか、移動性を有し、ＭＳ（ｍｏｂｉｌｅ  ｓｔａｔｉｏｎ）、ＭＴ（ｍｏｂｉｌｅ  ｔｅｒｍｉｎａｌ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）などの他の用語と呼ばれることができる。ｅＮＢ１１は、一般的にＵＥ１２と通信する固定地点をいい、ＢＳ（ｂａｓｅ  ｓｔａｔｉｏｎ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）などの他の用語と呼ばれることができる。
【００１４】
ＵＥは、通常１つのセルに属するが、ＵＥが属したセルをサービングセル（ｓｅｒｖｉｎｇ  ｃｅｌｌ）という。サービングセルに対して通信サービスを提供するｅＮＢをサービングｅＮＢという。無線通信システムは、セルラーシステムであるから、サービングセルに隣接する他のセルが存在する。サービングセルに隣接する他のセルを隣接セル（ｎｅｉｇｈｂｏｒ  ｃｅｌｌ）という。隣接セルに対して通信サービスを提供するｅＮＢを隣接ｅＮＢという。サービングセル及び隣接セルは、ＵＥを基準として相対的に決定される。
【００１５】
この技術は、ＤＬまたはＵＬに使用されることができる。一般に、ＤＬは、ｅＮＢ１１からＵＥ１２への通信を意味し、ＵＬは、ＵＥ１２からｅＮＢ１１への通信を意味する。ＤＬにおいて送信機は、ｅＮＢ１１の一部であり、受信機は、ＵＥ１２の一部でありうる。ＵＬにおいて送信機は、ＵＥ１２の一部であり、受信機は、ｅＮＢ１１の一部でありうる。
【００１６】
無線通信システムは、ＭＩＭＯ（ｍｕｌｔｉｐｌｅ−ｉｎｐｕｔ  ｍｕｌｔｉｐｌｅ−ｏｕｔｐｕｔ）システム、ＭＩＳＯ（ｍｕｌｔｉｐｌｅ−ｉｎｐｕｔ  ｓｉｎｇｌｅ−ｏｕｔｐｕｔ）システム、ＳＩＳＯ（ｓｉｎｇｌｅ−ｉｎｐｕｔ  ｓｉｎｇｌｅ−ｏｕｔｐｕｔ）システム、及びＳＩＭＯ（ｓｉｎｇｌｅ−ｉｎｐｕｔ  ｍｕｌｔｉｐｌｅ−ｏｕｔｐｕｔ）システムのうち、いずれか１つでありうる。ＭＩＭＯシステムは、複数の送信アンテナと複数の受信アンテナを使用する。ＭＩＳＯシステムは、複数の送信アンテナと１つの受信アンテナを使用する。ＳＩＳＯシステムは、１つの送信アンテナと１つの受信アンテナを使用する。ＳＩＭＯシステムは、１つの送信アンテナと複数の受信アンテナを使用する。以下において、送信アンテナは、１つの信号またはストリームを送信するのに使用される物理的または論理的アンテナを意味し、受信アンテナは、１つの信号またはストリームを受信するのに使用される物理的または論理的アンテナを意味する。
【００１７】
図２は、３ＧＰＰ  ＬＴＥの無線フレームの構造を示す。図２を参照すると、無線フレームは、１０個のサブフレームを含む。サブフレームは、時間領域で２個のスロットを含む。上位階層により１つのトランスポートブロックを物理階層に送信する時間は、（一般的に１つのサブフレームにわたって）ＴＴＩ（ｔｒａｎｓｍｉｓｓｉｏｎ  ｔｉｍｅ  ｉｎｔｅｒｖａｌ）と定義される。例えば、１つのサブフレームは、１ｍｓの長さを有することができ、１つのスロットは、０．５ｍｓの長さを有することができる。１つのスロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含む。３ＧＰＰ  ＬＴＥは、ＤＬでＯＦＤＭＡを使用するため、ＯＦＤＭシンボルは、１つのシンボル周期を表現するためのものである。ＯＦＤＭシンボルは、多重アクセス方式によって他の名称とも呼ばれる。例えば、ＳＣ−ＦＤＭＡがＵＬ多重アクセス方式として使われる場合、ＯＦＤＭシンボルは、ＳＣ−ＦＤＭＡシンボルとも呼ばれる。リソースブロック（ＲＢ：ｒｅｓｏｕｒｃｅ  ｂｌｏｃｋ）は、リソース割当単位であり、１つのスロットに複数の連続された（ｃｏｎｔｉｇｕｏｕｓ）副搬送波を含む。例示的な目的のみのために無線フレームの構造が図示される。したがって、無線フレームに含まれるサブフレームの数またはサブフレームに含まれるスロットの数またはスロットに含まれるＯＦＤＭシンボルの数は、多様に変更されることができる。
【００１８】
無線通信システムは，ＦＤＤ（ｆｒｅｑｕｅｎｃｙ  ｄｉｖｉｓｉｏｎ  ｄｕｐｌｅｘ）方式とＴＤＤ（ｔｉｍｅ  ｄｉｖｉｓｉｏｎ  ｄｕｐｌｅｘ）方式に区分されることができる。ＦＤＤ方式によると、アップリンク送信とダウンリンク送信は、互いに異なる周波数帯域で行われる。ＴＤＤ方式によると、ＵＬ送信とＤＬ送信は、同じ周波数帯域で互いに異なる時間間隔で行われる。ＴＤＤ方式のチャネル応答は、実質的に相互逆（ｒｅｃｉｐｒｏｃａｌ）である。これは与えられた周波数帯域でＤＬチャネル応答及びＵＬチャネル応答がほとんど同じであることを意味する。したがって、ＴＤＤベースの無線通信システムは、ＵＬチャネル応答からＤＬチャネル応答を得ることができるという長所がある。ＴＤＤ方式は、全体周波数帯域がＵＬ及びＤＬ送信のために時分割されるため、ｅＮＢによるＤＬ送信とＵＥによるＵＬ送信を同時に実行することができない。ＵＬ送信とＤＬ送信がサブフレーム単位で区別されるＴＤＤシステムで、ＵＬ送信とＤＬ送信は、異なるサブフレームで実行される。ＴＤＤシステムにおいて、ＤＬとＵＬとの間の高速スイッチングを可能にするために、ＴＤＭ（ｔｉｍｅ  ｄｉｖｉｓｉｏｎ  ｍｕｌｔｉｐｌｅｘｉｎｇ）／ＦＤＭ（ｆｒｅｑｕｅｎｃｙ  ｄｉｖｉｓｉｏｎ  ｍｕｌｔｉｐｌｅｘｉｎｇ）方式で同じサブフレーム／スロット内でＵＬ及びＤＬ送信が実行されることができる。
【００１９】
図３は、１つのダウンリンクスロットに対するリソースグリッド（ｒｅｓｏｕｒｃｅ  ｇｒｉｄ）を示す。図３を参照すると、ＤＬスロットは、時間領域で多数のＯＦＤＭシンボルを含む。ここで、例示として、１つのＤＬスロットは、７個のＯＦＤＭシンボルを含み、１つのＲＢは、周波数領域で１２個の副搬送波を含むと述べられる。しかし、本発明は、これに限定されるものではない。リソースグリッドの各要素は、リソース要素（ＲＥ：ｒｅｓｏｕｒｃｅ  ｅｌｅｍｅｎｔ）という。１つのＲＢは、１２×７または１２×１４リソース要素を含む。ＤＬスロットに含まれるＲＢの数ＮＤＬは、ＤＬ送信帯域幅によって決まる。ＵＬスロットの構造は、ＤＬスロットの構造と同じである。ＯＦＤＭシンボルの数と副搬送波の数は、ＣＰの長さ、周波数間隔などによって変わることができる。例えば、一般ＣＰ（ｎｏｒｍａｌ  ｃｙｃｌｉｃ  ｐｒｅｆｉｘ）の場合、ＯＦＤＭシンボルの個数は７個または１４個であり、拡張ＣＰの場合、ＯＦＤＭシンボルの個数は６個または１２個である。１つのＯＦＤＭシンボルで、１２８、２５６、５１２、１０２４、１５３６、２０４８、４０９６及び８１９２のうち１つを副搬送波の個数として選択的に使用することができる。
【００２０】
第５世代移動通信網又は第５世代移動通信システム（５Ｇ）は、現在の４Ｇ  ＬＴＥ／ＩＭＴ（ｉｎｔｅｒｎａｔｉｏｎａｌ  ｍｏｂｉｌｅ  ｔｅｌｅｃｏｍｍｕｎｉｃａｔｉｏｎｓ）標準以後に提案された次世代通信標準である。５Ｇは、新しい無線アクセス技術（ｎｅｗ  ｒａｄｉｏ  ａｃｃｅｓｓ  ｔｅｃｈｎｏｌｏｇｙ（ＲＡＴ）又はＮＲ）とＬＴＥ進化（ｅｖｏｌｕｔｉｏｎ）を全て含む。以下、５ＧのうちＮＲに焦点を合わせて説明する。５Ｇプランニングは、現在の４Ｇ  ＬＴＥより高い容量を目標とし、モバイルブロードバンドユーザの密度を向上させ、機器−対−機器、高信頼（ｕｌｔｒａ−ｒｅｌｉａｂｌｅ）及び大規模マシン通信（ｍａｓｓｉｖｅ  ｍａｃｈｉｎｅ  ｃｏｍｍｕｎｉｃａｔｉｏｎｓ）をサポートする。また、５Ｇ研究開発は、事物インターネットをより良く実現するために、４Ｇ装置より低い遅延と低いバッテリ消費を目標とする。
【００２１】
ＮＲは、ＯＦＤＭ送信方式又はそれに類似する送信方式を用いることができる。ＮＲは、既存のＬＴＥ／ＬＴＥ−Ａヌメロロジーに従うか、既存のＬＴＥ／ＬＴＥ−Ａヌメロロジーとは異なるヌメロロジーに従うことができる。ＮＲは、より大きなシステム帯域幅（例えば、１００ＭＨｚ）を有する。または、１つのセルがＮＲにおいて様々なヌメロロジーをサポートすることもできる。すなわち、異なるヌメロロジーーにおいて動作するＵＥがＮＲ内の１つのセル内に共存することができる。
【００２２】
ＮＲに対して他のフレーム構造が必要であると期待される。特に、ＵＬ及びＤＬがサブフレーム毎に存在できるか、又は同一の搬送波内で非常に頻繁に変更できる異なるフレーム構造がＮＲに必要であり得る。異なるアプリケーションは、異なる遅延及びカバレッジ要求事項をサポートするために、ＤＬ又はＵＬ部分（ｐｏｒｔｉｏｎ）の異なる最小サイズを必要とすることがある。例えば、高いカバレッジの場合、大規模マシンタイプ通信（ｍＭＴＣ：ｍａｓｓｉｖｅ  ｍａｃｈｉｎｅ−ｔｙｐｅ  ｃｏｍｍｕｎｉｃａｔｉｏｎ）は、１つの送信が成功裏に送信できるように比較的に長いＤＬ及びＵＬ部分を必要とすることがある。また、同期化及び追跡正確度要求事項に関する異なる要求事項により、異なる副搬送波間隔及び／又は異なるＣＰ長さが考慮されることがある。このような観点から、同一の搬送波に共存する異なるフレーム構造を可能にし、同一のセル／ｅＮＢで動作できるメカニズムを考慮することが必要である。
【００２３】
ＮＲにおいて、ダウンリンク及びアップリンクが含まれるサブフレームを用いることが考慮される。この方式は、ペアード（ｐａｉｒｅｄ）スペクトル及びアンペアード（ｕｎｐａｉｒｅｄ）スペクトルに適用されることができる。ペアードスペクトルは、１つの搬送波が２つの搬送波から構成されることを意味する。例えば、ペアードスペクトルにおいて、１つの搬送波はＤＬ搬送波及びＵＬ搬送波を含むことができ、これは相互ペアリングされる。ペアードスペクトルにおいて、ＤＬ、ＵＬ、機器−対−機器通信及び／又は中継通信などの通信は、ペアードスペクトルを用いて行われる。アンペアードスペクトルは、現在の４Ｇ  ＬＴＥのように１つの搬送波がただ１つの搬送波から構成されることを意味する。アンペアードスペクトルにおいて、ＤＬ、ＵＬ、機器−対−機器通信及び／又は中継通信などの通信は、アンペアードスペクトル内で行われることができる。
【００２４】
また、ＮＲにおいて、以下のサブフレームタイプは、前述したペアードスペクトル及びアンペアードスペクトルをサポートすると見なされる。
【００２５】
（１）ＤＬ制御及びＤＬデータを含むサブフレーム
【００２６】
（２）ＤＬ制御、ＤＬデータ、及びＵＬ制御を含むサブフレーム
【００２７】
（３）ＤＬ制御及びＵＬデータを含むサブフレーム
【００２８】
（４）ＤＬ制御、ＵＬデータ、及びＵＬ制御を含むサブフレーム
【００２９】
（５）アクセス信号又はランダムアクセス信号又は他の目的を含むサブフレーム
【００３０】
（６）ＤＬ／ＵＬ及び全てのＵＬ信号を全て含むサブフレーム
【００３１】
しかしながら、前述したサブフレームタイプは、単に例示的なものであり、他のサブフレームタイプも考慮されることができる。
【００３２】
図４は、ＮＲに対するサブフレームタイプの例を示す。図４に示すサブフレームは、データ送信の遅延を最小化するためにＮＲのＴＤＤシステムにおいて用いられる。図４を参照すると、サブフレームは、現在のサブフレームと類似するように、１つのＴＴＩで１４個のシンボルを含む。しかしながら、サブフレームは、最初のシンボルにＤＬ制御チャネル及び最後のシンボルにＵＬ制御チャネルを含む。ＤＬ制御チャネルのための領域は、ＤＣＩ（ｄｏｗｎｌｉｎｋ  ｃｏｎｔｒｏｌ  ｉｎｆｏｒｍａｔｉｏｎ）送信のためのＰＤＣＣＨ（ｐｈｙｓｉｃａｌ  ｄｏｗｎｌｉｎｋ  ｃｏｎｔｒｏｌ  ｃｈａｎｎｅｌ）の送信領域を示し、ＵＬ制御チャネルのための領域は、ＵＣＩ（ｕｐｌｉｎｋ  ｃｏｎｔｒｏｌ  ｉｎｆｏｒｍａｔｉｏｎ）送信のためのＰＵＣＣＨ（ｐｈｙｓｉｃａｌ  ｕｐｌｉｎｋ  ｃｏｎｔｒｏｌ  ｃｈａｎｎｅｌ）の送信領域を示す。ここで、ＤＣＩを介してｅＮＢによりＵＥに送信される制御情報は、ＵＥが知っているべきセル構成に関する情報、ＤＬスケジューリングなどのＤＬ特定情報及びＵＬ承認などのＵＬ特定情報を含むことができる。また、ＵＣＩを介してＵＥによりｅＮＢに送信される制御情報は、ＤＬデータに対するＨＡＲＱ（ｈｙｂｒｉｄ  ａｕｔｏｍａｔｉｃ  ｒｅｐｅａｔ  ｒｅｑｕｅｓｔ）ＡＣＫ／ＮＡＣＫ（ａｃｋｎｏｗｌｅｄｇｅｍｅｎｔ／ｎｏｎ−Ａｃｋｎｏｗｌｅｄｇｅｍｅｎｔ）報告、ＤＬチャネル状態に関するチャネル状態情報（ＣＳＩ：ｃｈａｎｎｅｌ  ｓｔａｔｅ  ｉｎｆｏｒｍａｔｉｏｎ）及びスケジューリング要求（ＳＲ：ｓｃｈｅｄｕｌｉｎｇ  ｒｅｑｕｅｓｔ）を含む。残りのシンボルは、ＤＬデータ送信（例えば、ＰＤＳＣＨ（ｐｈｙｓｉｃａｌ  ｄｏｗｎｌｉｎｋ  ｓｈａｒｅｄ  ｃｈａｎｎｅｌ)）又はＵＬデータ送信（例えば、ＰＵＳＣＨ（ｐｈｙｓｉｃａｌ  ｕｐｌｉｎｋ  ｓｈａｒｅｄ  ｃｈａｎｎｅｌ)）のために用いられる。
【００３３】
このサブフレーム構造によると、ＤＬ送信とＵＬ送信は、１つのサブフレームにおいて順次行われる、サブフレーム内でＤＬデータが送信されることができ、サブフレーム内でＵＬ  ＡＣＫ／ＮＡＣＫが受信されることもできる。このような方式で、図４に示すサブフレームは、自己完結型サブフレーム（ｓｅｌｆ−ｃｏｎｔａｉｎｅｄ  ｓｕｂｆｒａｍｅ）といえる。その結果、データ送信エラーが発生するときにデータの再送信にかかる時間が短くなるので、最終データ送信の遅延が最小になる。自己完結型サブフレーム構造において、送信モードから受信モードへ又は受信モードから送信モードへの移行過程（ｔｒａｎｓｉｔｉｏｎ  ｐｒｏｃｅｓｓ）に時間ギャップ（ｔｉｍｅ  ｇａｐ）が必要になり得る。このために、サブフレーム構造において、ＤＬからＵＬに転換するときの一部ＯＦＤＭシンボルをガード期間（ＧＰ：ｇｕａｒｄ  ｐｅｒｉｏｄ）に設定することができる。
【００３４】
以下、ＮＲのための制御チャンネルを構成する多様な様相が本発明の実施形態に従って説明される。ＮＲでは単一ビーム及び多重ビームが予想できる。ネットワークは単一ビームまたは多重ビームを配置することができ、相異する単一ビームが異なる時間に使用できる。単一または多重ビームに関わらず、ＵＥ観点から、制御チャンネルのためにモニタリングする資源を指示することが必要でありうる。特に、多重ビームが使われるか、または反復が使われる場合、ＵＥ観点から、同一の制御チャンネルが複数の機会を通じて送信できる。
【００３５】
本発明は、制御チャンネルモニタリング／受信のためのＵＥ観点からビーム方向を割り当てて検出する方法、及びＣＯＲＥＳＥＴ（ｃｏｎｔｒｏｌ  ｒｅｓｏｕｒｃｅ  ｓｅｔ）構成を議論する。また、本発明はＵＬ制御転送に適用できる。また、本出願はサイドリンク（ｓｉｄｅｌｉｎｋ；ＳＬ）制御転送に適用できる。
【００３６】
本発明の一実施形態に従う初期接続が説明される。
【００３７】
図５は、本発明の一実施形態に従うビーム獲得の例を図示する。まず、ＵＥは特定ビーム方向に基づいて送信される同期信号を検出する。ＵＥは例えば、ビームインデックス、同期化信号が転送されるシンボルインデックス、同期化信号（ＳＳ）ブロックインデックスなどによりビーム方向を獲得することができる。ビーム方向に基づいて、ＵＥは同期化及び検出のために同一または類似位置（ＱＣＬ；ｑｕａｓｉ−ｃｏ−ｌｏｃａｔｅｄ）ビーム方向から多数の同期化信号を累積することができる。便宜上、これをビームインデックスと称することができる。前述したように、ビームインデックスはＳＳブロックインデックス、ＳＳブロックインデックスとセルまたは送受信ポイント（ＴＲＰ；ＴＸ／ＲＸ  ｐｏｉｎｔ）ＩＤの組合せなどを通じて間接的に指示できる。ＵＥは前述したしきい値以上に検出された多数のビームインデックスを維持することができる。
【００３８】
ＲＡＣＨ（ｒａｎｄｏｍ  ａｃｃｅｓｓ  ｃｈａｎｎｅｌ）手続きのような初期接続手続きを通じて、ＵＥは１つまたは多数のビーム方向と連関できる。１つのＲＲＣ構成がビーム方向毎に構成されるか、または同時に多数のビーム方向と連関できる。即ち、１つまたは多数の有効ビーム方向がＵＥに対して構成できる。多数のビーム方向がＵＥに対して使用／構成された場合、ＲＡＣＨ手続きがネットワークによりトリガーされる場合、ネットワークはＲＡＣＨプリアンブルを転送する位置及びネットワークがランダムアクセス応答（ＲＡＲ；ｒａｎｄｏｍ  ａｃｃｅｓｓ  ｒｅｓｐｏｎｓｅ）などを受信することと予想するビーム方向を示すこともできる。多重ビーム方向の一例は多数のＴＲＰ動作をサポートすることであり、ＵＥは１回に、または与えられた時間の間、１つ以上のＴＲＰから制御／データを受信することができる。
【００３９】
ビーム調整（ｂｅａｍ  ｃｏｏｒｄｉｎａｔｉｏｎ）（受信機−送信機ビーム整列）手続きの間、ＵＥは単一または多数のビーム方向に調整されることができ、相異する受信機ビーム方向が各々の転送ビーム方向毎に構成できる。ＴＸビームと受信（ＲＸ）ビームとの間のペアリングはＲＡＣＨ手続きを通じて、またはＵＥにより自律的に達成できる。ＲＡＣＨ手続きが使われる場合、ＲＡＣＨ転送のための単一ＴＸビーム方向はＵＥにより選択されることができ（一般的に、最も強いまたは最上のＴＸビーム）、対応するＲＡＣＨ手続きは選択された最上のビームに対して達成できる。追加のＴＸビームに対して、ネットワークはＲＡＣＨ手続き（例えば、非競争ＲＡＣＨ手続き基盤、またはＰＤＣＣＨ命令によりトリガーされたＰＲＡＣＨ転送基盤）をトリガーすることができ、ビーム調整が達成できる。ＵＥ自律接近法が使われる場合、ネットワークはＵＥにより維持される必要があるＴＸビームのセットを構成することができるが、これらＴＸビームから与えられたＵＥへの一部の制御／データ転送が可能なためである。ＵＥは対応するＴＸビームに対するＲＸビームを決定することができる。ＴＸビームの観点から、この場合に、ＵＥは調整オーバーヘッドを最小化するためにネットワークに向けて単に１つのビーム方向を使用することができる。
【００４０】
１つまたは多数の送信ビームに対するネットワーク構成またはＲＡＣＨ手続き後に、ＵＥはＴＸ及びＲＸビームペアリングのリストを維持することができる。
【００４１】
ＳＳブロック送信のために多数のアナログビームが形成されれば、１つのＳＳブロックに対して多数のアナログビームが存在することができる。ＳＳブロックを検出した後、ＵＥはＳＳブロックで検出されたビームの最上の組合せが制御チャンネル転送のために使われると仮定することができる。言い換えると、ＵＥがモニタリングしなければならない制御チャンネルに対するＱＣＬ関係のために異なるＣＳＩ−ＲＳまたはＳＳブロックにＵＥが明示的に再構成されるまで、ＵＥは初期接続の間検出された最上のＳＳブロックとＱＣＬ関係を有すると仮定することができる。また、検出されたＳＳブロックと関連したＲＭＳＩは検出されたＳＳブロックとＱＣＬ関係を有する制御資源を構成することができる。ＲＭＳＩ  ＣＯＲＥＳＥＴタイミングは検出されたＳＳブロックと関連するので、ＲＭＳＩ  ＣＯＲＥＳＥＴとＳＳブロックとの間の暗示的なＱＣＬ関係はモニタリング周期、オフセット及びウィンドウに基づいて決定できる。ＳＳブロックで検出されたビームの最上の組合せはワイドビームと称されることができ、これはＳＳブロックで使われる多重ビームの組合せ、またはＳＦＮ（ｓｙｓｔｅｍ  ｆｒａｍｅ  ｎｕｂｍｅｒ）ということができる。ワイドビーム内に多数のビームがありうるので、同一の情報が多数の相異するビームを通じて送信できる。例えば、ＵＥがＳＳブロック内のビームの個数を知って、ＵＥがワイドビーム内の多数のビームのうちの最上のビームを検出すれば、ＵＥは最上のビームのみをモニタリングすることによって、制御チャンネルモニタリング時、電力を節約することができる。ネットワークがワイドビームに対するビームのうち、最上のビームに関する情報を獲得する場合、ネットワークは情報に基づいてＵＥ特定検索空間（ＵＳＳ；ＵＥ−ｓｐｅｃｉｆｉｃ  ｓｅａｒｃｈ  ｓｐａｃｅ）及び／又は共通検索空間（ＣＳＳ；ｃｏｍｍｏｎ  ｓｅａｒｃｈ  ｓｐａｃｅ）及び／又はグループ共通検索空間（ＧＳＳ；ｇｒｏｕｐ  ｃｏｍｍｏｎ  ｓｅａｒｃｈ  ｓｐａｃｅ）を構成することができる（即ち、制御チャンネルに対する類似同一位置にいるＣＳＩ−ＲＳ（ｃｈａｎｎｅｌ  ｓｔａｔｅ  ｉｎｆｏｒｍａｔｉｏｎ  ｒｅｆｅｒｅｎｃｅ  ｓｉｇｎａｌ）資源を定義する）。
【００４２】
即ち、ＣＳＩ−ＲＳ構成の前に、ＵＥは制御チャンネルモニタリングのためにＳＳブロックで（暗示的に）構成できる。ＣＳＩ−ＲＳ構成後に、ＵＥは制御チャンネルモニタリングのための類似同一位置にいるＣＳＩ−ＲＳ資源として指示できる。ＣＳＩ−ＲＳ構成は、ＵＥ特定またはセル特定でありうる。構成によって、これはＣＳＳ／ＵＳＳまたはＵＳＳのみに適用できる。ＧＳＳは、ＵＳＳ及びＣＳＳの特性を相続することができるＵＥグループにカテゴリー化できる。即ち、ＧＳＳはＣＳＳまたはＵＳＳ構成手続きによって構成できる。
【００４３】
本発明の一実施形態に従うシステム帯域幅指示が説明される。ＰＢＣＨ（ｐｈｙｓｉｃａｌ  ｂｒｏａｄｃａｓｔ  ｃｈａｎｎｅｌ）受信の場合、ＰＢＣＨのビームはＳＳブロックのビーム方向と連関できる。したがって、ＵＥはＳＳブロックに対する同一のビーム方向仮定に基づいて１つ以上のＰＢＣＨを受信することができる。
【００４４】
システム帯域幅情報はＰＢＣＨに伝達できる。今後、リリースが現在最大システム帯域幅より大きいシステム帯域幅をサポートするか、または他の無線接続技術（ＲＡＴ；ｒａｄｉｏ  ａｃｃｅｓｓ  ｔｅｃｈｎｏｌｏｇｙ）と効率よく共存するための動的帯域幅変更、またはエネルギー節約のための動的帯域幅変更などを考慮すれば、ネットワークはＵＥに影響を及ぼさない、かつシステム帯域幅を変更することができることが好ましい。これをサポートするためにシステム帯域幅情報に対して次を考慮することができる。
【００４５】
−システム帯域幅情報は指示されないことがあるが、任意の制御／ＲＳ／データ転送構成に対する転送帯域幅または帯域幅構成が指示できる。この接近法は完全な柔軟性を許容するが、相当なシグナリングオーバーヘッドをもたらす。特に、ページング、共通チャンネルのロードバランシングの場合、システム情報（ＳＩ；ｓｙｓｔｅｍ  ｉｎｆｏｒｍａｔｉｏｎ）の明示的構成が必要でありうる。
【００４６】
−システム帯域幅情報はＰＢＣＨまたはシステム情報で指示できる。システム帯域幅情報は明示的にシステム帯域幅を構成しない場合に使われる基本（ｄｅｆａｕｌｔ）システム帯域幅を示すことができる。この方法を使用すれば、帯域幅構成が追加的に提供できる。１つの帯域幅構成がある場合、指示された値が仮定できる。この構成は指示された値が認識可能でなければ（例えば、帯域幅は５００ＭＨｚで指示されるが、ＵＥは最大４００ＭＨｚを認識することができる場合）、ＵＥが知られた最大帯域幅を仮定する今後の拡張を許容することができる。または、システム帯域幅情報は最大システム帯域幅を示すことができる。基本システム帯域幅と類似に最大システム帯域幅が指示できる。
【００４７】
本発明は、システム帯域幅がＰＢＣＨにより指示されない場合に焦点を合せる。しかしながら、これはシステム帯域幅または可能なシステム帯域幅がＰＢＣＨまたはシステム情報で指示される場合にも適用できる。
【００４８】
本発明の一実施形態に従う最小ＳＩまたはＲＭＳＩ（ｒｅｍａｉｎｉｎｇ  ＳＩ）と関連した構成が説明される。ＲＭＳＩ受信の場合、制御チャンネルがシステム情報ブロック（ＳＩＢ；ｓｙｓｔｅｍ  ｉｎｆｏｒｍａｔｉｏｎ  ｂｌｏｃｋ）転送のために使われれば、ＵＥは最上のＳＳブロックの最上のＴＸビーム方向に対してチューニングされたＲＸビームで任意のＳＩＢ転送を読み取ろうと試みることができる。代案として、ＳＩＢはＳＳブロック内で、またはＳＳブロックビーム方向と関連したＰＢＣＨと類似するように転送できる。代案として、ＵＥが管理しないビーム方向に対するデコーディングをＵＥが省略することができるように（例えば、制御及び／又はデータのスクランブリングでビームインデックスまたはＳＳブロックインデックスを使用することによって）各々のＳＩＢ制御／データ転送資源にビーム方向が指示できる。また、ＰＢＣＨは与えられたＴＸビーム方向にＳＩＢが転送される資源を示すことができるので、ＵＥはリスト内のＴＸ／ＲＸビームペアに対して適切な受信機ビームペアで何処でも読取を試みることができる。
【００４９】
即ち、ネットワークは各ビーム方向毎にＳＩＢ転送のための別途の資源を指示してＵＥが適切なＳＩＢ機会を読取できるようにすることができる。指示は暗示的または明示的でありうる。暗示的指示が使われれば、ＰＢＣＨ及び／又はＰＳＳ（ｐｒｉｍａｒｙ  ｓｙｎｃｈｒｏｎｉｚａｔｉｏｎ  ｓｉｇｎａｌ）／ＳＳＳ（ｓｅｃｏｎｄａｒｙ  ｓｙｎｃｈｒｏｎｉｚａｔｉｏｎ  ｓｉｇｎａｌ）に対する同一のビームシーケンス（または、ＳＳブロックインデックスに基づいたスクランブリング）が使用できる。一方、明示的指示はＰＢＣＨ及び／又はＰＳＳ／ＳＳＳシンボルインデックスまたはビームインデックスまたは等価情報に対応するＴＸビームのシーケンスを示すことができる。制御チャンネルがＳＩＢ転送のために使われる場合、構成オーバーヘッドを最小化するために制御チャンネルは同一のビーム方向に（即ち、ＦＤＭにより多重化されて）ＳＳブロック内に位置するか、またはＳＳブロックと整列できる。ＳＳブロックの場合、ＳＳブロックに使われたビーム方向は予め決定されるか、または補助セルにより構成できる。
【００５０】
図６は、本発明の一実施形態に従って各スロットにマッピングされる多重ＳＳブロックの例を示す。説明の便宜のために、以下の明細書でＳＳブロックと関連したＲＭＳＩを構成するために図６に図示された構造が仮定される。次の接近法を考慮することができる。ここで、ＣＳＳ／ＲＭＳＩとＳＳブロックとの間の連関はＱＣＬ関係を有するＳＳブロックとＣＳＳ／ＲＭＳＩとの間の連関の間にいる。時間内に多数のＳＳブロックがある場合、互いに異なるＳＳブロックと関連したいろいろなＣＳＳ／ＲＭＳＩ機会が可能である。
【００５１】
（１）接近法１：ＲＭＳＩ用ＣＳＳの時間／周波数位置はＳＳブロックと整列される。
【００５２】
図７は、本発明の実施形態に従ってＲＭＳＩを構成する例を図示する。図７を参照すると、制御チャンネルはＳＳブロックに転送されることができ、制御チャンネルのビームインデックスは同一のシンボルで整列された同一のＳＳブロック内のＰＳＳ／ＳＳＳ／ＰＢＣＨと同一でありうる。即ち、ＲＭＳＩ用ＣＳＳ（データ開始はＰＤＣＣＨで指示できるが、可能にはデータも可能）及びＳＳブロックはＦＤＭに多重化できる。データチャンネルは同一のＳＳブロックで送信できるか、または交差−スロット／シンボルスケジューリングによりスケジューリングできる。一般的に、可能であれば、同一のＳＳブロックでデータを転送することが好ましい。また、データがＳＳブロック期間内にスケジューリングされる場合、データ転送のデューレーションが制限されることができ、これはまたＲＭＳＩの全体サイズに影響を及ぼすことがある。ＳＳブロックが位置した小さいシステム帯域幅が他のチャンネルを転送できないということを考慮すれば、制御とデータとの間のギャップはＰＢＣＨでも構成できる。例えば、ギャップは多数のスロットまたは多数のＳＳブロック／バーストでありうる。
【００５３】
この場合、必要な構成は次のうちの少なくとも１つを含むことができる。
【００５４】
−ＲＭＳＩ用ＣＳＳの帯域幅（例えば、１＊ＳＳブロック、２＊ＳＳブロック、ＵＥ最小帯域幅、または２４、４８、９６ＰＲＢ）
【００５５】
−ＳＳブロック中心／最低ＰＲＢ（または、最高ＰＲＢ）とＲＭＳＩ位置（例えば、ＲＭＳＩ  ＣＳＳの最低ＰＲＢ）との間のオフセットによる周波数位置：オフセット値は、例えば、−２＊ＳＳブロック、−１＊ＳＳブロック、１＊ＳＳブロック、２＊ＳＳブロックでありうる。ＵＥがモニタリングする必要がある帯域幅に関わらず、中心は変更できない。この場合、ＲＭＳＩ  ＣＯＲＥＳＥＴ及び／又はＲＭＳＩ  ＰＤＳＣＨはＳＳブロックの周囲にスケジューリングされることができ、オフセット値が０に固定できる。
【００５６】
−ＲＭＳＩ用ＣＳＳに使われたヌメロロジー：オフセット値で共同に（ｊｏｉｎｔｌｙ）構成できる。
【００５７】
−ＲＭＳＩ用ＣＳＳの周期：これはＳＳブロック転送の周期と同一でありうる。または、周期は固定値に定義されることができ、ＳＳブロック周期によって該当周期内で反復されるＲＭＳＩ数を変えることができる。
【００５８】
−ＣＯＲＥＳＥＴデューレーション及び開始シンボル：開始シンボルは検索空間セット構成の構成から推論できる。
【００５９】
（２）接近法２：ＲＭＳＩのための周波数位置ＣＳＳは、ＳＳブロックと整列される。
【００６０】
図８は、本発明の実施形態に従ってＲＭＳＩを構成する更に他の例を図示する。このような接近法で、ＳＳブロックは同一の周波数範囲（または、同一の周波数範囲の周囲）でＲＭＳＩを連関させることができる。ＳＳブロックとＲＭＳＩとの間のオフセットが考慮できる。データは、ＳＳブロック（ＵＥにより暗示的にレートマッチングできる）または交差−スロットを回避することによって、同一のスロットでスケジューリングされることもできる。即ち、ＤＣＩはＳＳブロックが転送されるスロットインデックスを示すことができる。ＵＥは可能なＳＳブロックを回避するか、または可能なＳＳブロックの周囲のレートマッチングを仮定することができる。ＲＭＳＩ転送のためのＰＤＳＣＨの位置を指示するＤＣＩオーバーヘッドを最小化するためにただ幾つかの状態のみ使用できる。例えば、各々の状態は｛００：ＣＯＲＥＳＥＴ後に最初のＳＳブロックの直ぐ次、０１：次のスロットで、１０：最初のＳＳブロックと同一の位置、１１：２番目の次のスロット｝を示すことができる。多数のＲＭＳＩ転送が必要でありうるスロット内で多数個のＳＳブロックをサポートするには、ＣＯＲＥＳＥＴ構成に開始シンボルとデューレーションがありうる。次は、多様な場合に対する開始シンボルとデューレーションの組合せの例である。これは、以後に説明される接近法３にも適用できる。
【００６１】
−ＳＳブロック及びＲＭＳＩに対するヌメロロジーは同一である（例えば、両方とも１５ｋＨｚ副搬送波間隔で）：この場合、各スロットで制御領域に残した２つのシンボルがある。ＣＯＲＥＳＥＴで最大２つのＳＳブロックをサポートするには、次の状態を構成しなければならない。
【００６２】
＞００：開始位置は１であり、デューレーションは１である。
【００６３】
＞０１：開始位置が１であり、デューレーションが２である。
【００６４】
＞１０：開始位置は２であり、デューレーションは１である。
【００６５】
＞１１：開始位置は１であり、デューレーションは３であり、ＣＯＲＥＳＥＴはＳＳブロック周囲でレートマッチングされる。
【００６６】
−ＳＳブロックに対するヌメロロジーは、ＲＭＳＩに使われた副搬送波間隔の半分である（例：１５ｋＨｚ副搬送波間隔のＳＳブロック、３０ｋＨｚ副搬送波間隔のＲＭＳＩ）：この場合、ＲＭＳＩヌメロロジーの観点から２スロット毎に残された４個のシンボルがある。次の状態が構成できる。
【００６７】
＞００：開始位置はｉであり、デューレーションは１であり、ｉはＲＭＳＩビームに対応するＳＳブロックの位置として定義される。例えば、ＲＭＳＩが２つのスロット内の第１のＳＳブロックに対するものであれば、ｉ＝１である。言い換えると、各々のシンボルは２つのスロット内の各ＳＳブロックに対して使用できる。
【００６８】
＞０１：開始位置が１であり、デューレーションが２である。
【００６９】
＞１０：開始位置は３であり、デューレーションは２である。
【００７０】
＞１１：開始位置は１であり、デューレーションは３である。
【００７１】
−ＳＳブロックに対する副搬送波間隔はＲＭＳＩの副搬送波間隔の２倍である（例えば、３０ｋＨｚ副搬送波間隔を有するＳＳブロック、１５ｋＨｚ副搬送波間隔を有するＲＭＳＩ）：この場合、ＲＭＳＩ観点から７個のシンボル毎に制御のために予約された単に１つのシンボルが存在する。したがって、ＣＯＲＥＳＥＴが７個のシンボル毎に構成できるミニスロットスケジューリングが使用できる。次の状態が構成できる。ＵＥはスロットで１つ以上のＲＭＳＩ  ＰＤＣＣＨをモニタリングする必要がない。
【００７２】
＞００：開始位置は１であり、デューレーションは１である。
【００７３】
＞０１：開始位置は１であり、デューレーションは２である（ＳＳブロック周辺でレートマッチングされる）。
【００７４】
＞１０：開始位置は８であり、デューレーションは１である。
【００７５】
＞１１：開始位置は８であり、デューレーションは２である。
【００７６】
−ＳＳブロックに対する副搬送波間隔はＲＭＳＩの副搬送波間隔の４倍である（例：２４０ｋＨｚ副搬送波間隔のＳＳブロック、６０ｋＨｚ副搬送波間隔のＲＭＳＩ）：この場合、ＳＳブロックが転送される５ｍｓ内であり、ＣＯＲＥＳＥＴは転送されることが困難になることがある。したがって、ＳＳブロック送信の後に、即ちＳＳブロック送信が期待されない期間の間、ＲＭＳＩ  ＣＯＲＥＳＥＴを送信することが一般的に好ましい。この場合、以下に説明された接近法３がより適切でありうる。ＣＯＲＥＳＥＴが転送できるスロットオフセットはビームに対応するＰＢＣＨによりシグナリングできる。代案として、ＳＳブロックＣＯＲＥＳＥＴが転送できる位置はＳＳブロックインデックスまたはＳＳブロックの位置に基づいて暗示的に決定できる。代案として、ＲＭＳＩ  ＣＯＲＥＳＥＴはＳＳブロックと整列できる。
【００７７】
（３）接近法３：ＲＭＳＩに対する周波数位置ＣＳＳがＳＳブロックと整列されない。
【００７８】
図９は、本発明の実施形態に従ってＲＭＳＩを構成する更に他の例を図示する。この接近法は最も柔軟な接近法であり、システム帯域幅内でＣＳＳ位置を示す。帯域幅が非常に大きいことがあるので、ＲＭＳＩ用ＣＳＳの位置がＳＳブロックからあまり遠くないか、または制限された候補がサポートできる。例えば、ＲＭＳＩに対するＳＳブロックとＣＳＳとの間のオフセットを示すためにいろいろな同期ラスターが使用できる。この接近法が使われれば、多数のＳＳブロックがＲＭＳＩ用ＣＳＳが共有できるので、ＰＲＢインデクシング及びスクランブリングは相異するＳＳブロックに接続するＵＥの間に共通的に理解されなければならない。したがって、これを効率よくするには、中心周波数のような共通基準点を先に指示した後、中心でのオフセットを使用することができる。
【００７９】
代案として、ローカルＰＲＢインデクシングはＲＭＳＩのためのＣＳＳ内で使用できる。この場合、いろいろなＳＳブロックに関わらず、ＰＲＢインデクシングはＲＭＳＩ用ＣＳＳ内でローカル化できる。同一の原理がＲＭＳＩ転送のためのデータにも適用できる。ＰＢＣＨとＲＭＳＩとの間のＰＲＢグリッド構造が整列できる。少なくとも、副搬送波間隔グリッドが整列できる。チャンネルラスターまたは同期化ラスターが副搬送波間隔の倍数でない場合、ＰＲＢ−グリッド−オフセットがＲＭＳＩに対して指示されることができ、オフセットはＲＭＳＩ転送のＰＲＢグリッドを残りのシステム帯域幅に整列することに使用できる。例えば、同期ラスターが１００ｋＨｚの場合、ＰＲＢグリッドオフセットは８０または−２０ｋＨｚでありうる。
【００８０】
この接近法は、次の通り要約できる。
【００８１】
−ＰＢＣＨはＳＳブロックと中心周波数の間のオフセットを示すことができ、ＲＭＳＩ周波数位置（または、２つの最小ＰＲＢ副搬送波０位置の間）は中心とＣＳＳとの間のオフセットにより与えられることができる。ＲＭＳＩ  ＣＳＳ／データ領域内のＰＲＢインデクシング及びスクランブリングはグローバルインデクシングに従うことができる。
【００８２】
−ＰＢＣＨはＲＭＳＩ用ＣＳＳとＳＳブロックとの間のオフセットのみを示すことができる。ＰＲＢインデクシングは、ＲＭＳＩ用ＣＳＳに対してローカル化できる。
【００８３】
（４）接近法３−１：ＣＳＳの周波数位置はＳＳブロックと整列されないが、ＲＭＳＩ位置はＳＳブロックと時間的に整列される。
【００８４】
図１０は、本発明の実施形態に従ってＲＭＳＩを構成する更に他の例を図示する。例えば、ＣＯＲＥＳＥＴはＲＭＳＩを含むＰＤＳＣＨがＳＳブロックと整列してスケジューリングできる各スロットの初めの幾つのシンボルで構成できる。スロット内に２つのＳＳブロックが存在する場合、第１のＳＳブロックまたは第２のＳＳブロックがタイミング情報のために使われるかを示すために１または２が指示できる。このために、スロットの開始またはＳＳブロックに関連した開始シンボルでＣＯＲＥＳＥＴの位置が指示されることができ、ＰＤＳＣＨの位置はスロットの可能なＳＳブロックセットの間で動的に指示できる。
【００８５】
データのデューレーションはＳＳブロックと整列されるか（例えば、ヌメロロジーによって４個のシンボルまたは２個のシンボル）、または残りのシンボルを用いるために６個のシンボル（または、ヌメロロジーによって３個のシンボル）に拡張できる。
【００８６】
要約すると、ＲＭＳＩ用ＣＯＲＥＳＥＴの可能な位置は、次のうちの１つで表現できる。
【００８７】
−スロット始めから相対シンボル
【００８８】
−ＳＳブロックからの相対シンボル
【００８９】
また、ＲＭＳＩ用ＰＤＳＣＨの位置は、次のうちの１つにより表現できる。
【００９０】
−スロット内のＳＳブロックインデックス：これが使われる場合、デューレーションはＳＳブロックデューレーションと同一でありうる。
【００９１】
−スロット内のシンボルインデックス
【００９２】
−スロットインデックス
【００９３】
前述した各接近法が使われる場合、ビームインデックスの処理のために次の接近法が考慮できる。
【００９４】
（１）接近法１：ビーム指示は暗示的でありうる。
【００９５】
図１１は、本発明の一実施形態に従うビームインデックスの処理例を図示する。図１１を参照すると、ＲＭＳＩビームインデックスはＳＳブロックと整列される。１つのビーム方向を有するＰＢＣＨは同一ビーム方向を有するＳＩＢ読取（初めには、ＲＭＳＩ）に対するモニタリング間隔を有するＣＯＲＥＳＥＴに対する情報を指示／構成することができる。ＵＥは、ＰＢＣＨからの構成に基づいて同一のビーム方向に対してＲＭＳＩを接続することができる。これを使用すれば、各ＰＢＣＨは互いに異なる情報を伝達することができるが、異なるＰＢＣＨ間の累積は容易に処理できないためである。累積を許容する更に他の接近法はただ周波数情報、制御チャンネルモニタリングの周期、及び時間的な制御領域サイズ（例えば、デューレーション）のみを構成して、各制御がＲＭＳＩ転送からビームＩＤ情報を伝達できるようにするものである。または、ＲＭＳＩまたはＲＭＳ用制御チャンネルがＳＳブロック内で転送される場合、ＲＭＳＩ情報が発見できる時間またはＳＳブロックインデックスが暗示的に決定できる。
【００９６】
（２）接近法２：制御チャンネルはＳＳブロックと独立的に転送される。
【００９７】
図１２は、本発明の一実施形態に従うビームインデックスの他の処理例を図示する。図１２を参照すると、各々のＰＢＣＨはＰＢＣＨと同一のビームで連関したＣＯＲＥＳＥＴを通知できるので、ＵＥが多数のＰＢＣＨに接続できれば、多数のＰＢＣＨを読み取ることによって、ＵＥが多数のＣＯＲＥＳＥＴを獲得することができる。ＲＭＳＩ読取のためにそのようなビームのうちの１つまたは多数を読み取ることはＵＥによる。この接近法に対するデータスケジューリングはデータ転送の開始／終了がＤＣＩから動的に指示できる正規データ転送接近法に従うことができる。この方法を使用すれば、制御領域がビームスイープ（ｂｅａｍ−ｓｗｅｅｐ）される場合、ＰＢＣＨがシンボルレベルにＣＯＲＥＳＥＴを指示しなければならない。
【００９８】
図１３は、本発明の一実施形態に従うビームインデックスの他の処理例を図示する。図１３を参照すると、ＰＢＣＨはＲＭＳＩ読取のためにＣＯＲＥＳＥＴの集合を通知することができる。ＵＥはそのような構成されたソースでビームスイーピングガ発生すると推定することができ、ＵＥはＰＳＳ／ＳＳＳ／ＰＢＣＨ読取で獲得されたビームインデックスに基づいて対応する制御／データを読み取ることができる。ＵＥブラインドデコーディングを減らすために、１つの接近法はＲＭＳＩ用ＣＳＳとＳＳブロックとの間の暗示的マッピングを構成するものである。例えば、ＰＢＣＨから指示されたＳＳブロックインデックスは各ビーム当たり固定されたサイズの制御資源領域（例えば、１または２シンボル）を仮定して構成されたＣＯＲＥＳＥＴデューレーションの間、該当ビームに対するＲＭＳＩ制御が転送されるインデックスでありうる。即ち、ビームに対するＳＳブロックとＲＭＳＩの制御資源との間の暗示的マッピングが仮定できる。類似の関係がＲＭＳＩの制御資源（または、データ資源）と他のＳＩまたはＲＡＲ制御資源セットの間に可能でありうる。資源構成の例で、最大ウィンドウが構成されることができ、実際に転送されたＳＳブロックの以後のＳＳブロックに対応するＲＭＳＩが指示できる。
【００９９】
実際の構成で、次の情報が考慮できる。
【０１００】
−ＲＭＳＩ用ＣＯＲＥＳＥＴの周波数位置
【０１０１】
−制御モニタリング間隔の周期：ＳＳまたはＣＯＲＥＳＥＴで構成できる。定義されない場合、ＰＢＣＨ転送の同一の周期がＲＭＳＩに使用できる。
【０１０２】
−広帯域ＲＳが使われる場合、広帯域ＲＳのＰＲＢバンドリングサイズまたは帯域幅
【０１０３】
−スクランブリングＩＤ（構成されない場合、セルＩＤ及び／又はビームインデックスが使用できる）
【０１０４】
−ＲＭＳＩ制御及び／又はデータ（共同に、または個別的に）に使われるヌメロロジー
【０１０５】
−時間的な制御領域サイズ（特に、ビームスイーピングが使われる場合）
【０１０６】
−データがＣＯＲＥＳＥＴより広くマッピングされた場合、データ帯域幅：データ帯域幅（または、ＲＭＳＩ  ＰＤＳＣＨのためのＢＷＰ（ｂａｎｄｗｉｄｔｈ  ｐａｒｔ））がＣＯＲＥＳＥＴの帯域幅と同一でありうる。
【０１０７】
ＰＢＣＨでのシグナリングオーバーヘッドを最小化するために、次のような接近法が考慮できる。
【０１０８】
（１）情報の共同符号化（Ｊｏｉｎｔ  ｅｎｃｏｄｉｎｇ  ｏｆ  ｉｎｆｏｒｍａｔｉｏｎ）
【０１０９】
（２）周波数位置の候補を減らすために、単に少数のオフセット値（例えば、０：ＳＳブロックと同一、１：＋１００ＲＢ、−１００ＲＢ、このＳＳブロックとＲＭＳＩが連関しない）が使用できる。代案として、（Ｋ＊同期化ラスター）に基づいた幾つかのオフセット値のみ使用できる。
【０１１０】
（３）与えられたＳＳブロックに対するＲＭＳＩ制御／データモニタリングのための時間位置の候補を減らすために、可能なＳＳブロックが仮定されないスロットのみでモニタリングが遂行できる。代案として、ＲＭＳＩに対するモニタリング周期でＳＳブロック周期を仮定すれば、オフセット値またはウィンドウ値が割り当てできる。可能なＳＳブロックを含まないスロットに対してオフセット値を選択することができる。代案として、周期性を有するＲＭＳＩがモニタリングできる予め定義されたスロットセットが定義できる。このスロットセットはＰＢＣＨで構成できる。例えば、ＵＥブラインド検出負担を最小化するために、与えられたＳＳブロックに対してＲＭＳＩをモニタリングするための最大スロットはＲＡＲウィンドウと類似するように構成できる。ＵＥは、各々の関連したＳＳブロックに対して該当セットでの１つに指示できる。
【０１１１】
（４）ＲＭＳＩ用ＣＳＳ及びＲＭＳＩ用データの帯域幅候補を減らすために、１ビット指示が使用できる。例えば、値０はＳＳブロックと同一であることを意味することができ、値１はＵＥ最小帯域幅と同一であることを意味することができる。代案として、制限された帯域幅セットが指示できる。
【０１１２】
一般的に、多数のビームにビームスイーピングを要求することができるデータ転送または制御転送がＳＳブロック内に位置できる。このような場合の例はＳＩＢ転送、ページングのための制御チャンネル転送、ページング転送、共通信号転送などを含む。類似するように、ＵＬの場合、同一の目的のためにＰＲＡＣＨ資源が使われることができ、ＵＥは異なる転送及びＰＲＡＣＨがＦＤＭにより多重化できるように構成されたＰＲＡＣＨ資源で多重ビームをスイーピングすることができる。
【０１１３】
ＣＯＲＥＳＥＴの位置とＲＭＳＩの可能なスケジューリングの面で、次のようなことが考慮できる。
【０１１４】
（１）ＣＯＲＥＳＥＴの開始シンボルは、次の通りである。
【０１１５】
−スロットの第１シンボル（正常な場合）
【０１１６】
−第２シンボルまたは第３シンボルのようなシンボルで（例えば、ＬＴＥ−ＮＲ共存の場合）
【０１１７】
−ＳＳブロックの第１シンボル（スロット内の第１または第２のＳＳブロック）で、
【０１１８】
−第８シンボルのようなシンボル（例えば、ＲＭＳＩ  ＣＯＲＥＳＥＴのためのミニスロットサポートの場合）で、
【０１１９】
第２、第３、第４シンボルのようなＯＦＤＭシンボル（例えば、多重ビームのビームスイーピングの場合）で、
【０１２０】
（２）ＣＯＲＥＳＥＴのデューレーションは、次の通りである。
【０１２１】
−正常な場合、１−３個のシンボル
【０１２２】
−ビームスイーピングの場合、１シンボル
【０１２３】
（３）ＰＢＣＨで構成されるＣＯＲＥＳＥＴの数は、次の通りである。
【０１２４】
−スロット当たり１つ
【０１２５】
−スロット当たり２つ（例えば、各々のＳＳブロック当たりＲＭＳＩ）
【０１２６】
−交差−スロットスケジューリングを有するスロット当たり２つ以上
【０１２７】
−スロット当たり最小１つまたは２つのＣＯＲＥＳＥＴ：多数個のＣＯＲＥＳＥＴが構成されている場合、各ＣＯＲＥＳＥＴの開始シンボルを除いて、同一の構成が適用できる。ＣＯＲＥＳＥＴ構成は、周波数及びデューレーション関連情報のみ構成することができ、開始位置は検索空間構成で構成できる。
【０１２８】
（４）ＲＭＳＩ  ＰＤＳＣＨデューレーションは、次の通りである。
【０１２９】
−ＳＳブロックデューレーションと同一
【０１３０】
−１つのスロット
【０１３１】
−固定サイズ（例：１２個のシンボル）
【０１３２】
−多重スロット
【０１３３】
−他のデータと類似するように、時間ドメイン情報は、またＤＣＩによりスケジューリングできる。
【０１３４】
（５）ＲＭＳＩ転送のためのＰＤＣＣＨとＰＤＳＣＨの間のギャップは、次の通りである。
【０１３５】
−変数（ＰＤＳＣＨ  ＴＸに対して第１のＳＳブロックまたは第２のＳＳブロック）
【０１３６】
−交差−スロット（開始シンボルが現在スロットでのＲＭＳＩに対する最大ＣＯＲＥＳＥＴデューレーションと同一でありうるスロットデューレーション）
【０１３７】
（６）多重スロットを使用する場合、スロット数は固定（例：４）されることができ、多重スロット使用有無を示す１ビット指示が可能である。代案として、ＤＣＩフィールドは少なくとも幾つかの場合（例えば、６ＧＨｚ未満）に多重スロットスケジューリングを有することができる。
【０１３８】
前述した説明を裏付けるために、ＲＭＳＩ用資源割当のためのＰＢＣＨ及びＤＣＩの構成が次の通り要求できる。第１に、ＰＢＣＨ内容は以下を含むことができる。
【０１３９】
（１）周波数位置及び帯域幅：２ビット
【０１４０】
１）中心は（ＲＢ内の）ＳＳブロック＋ＳＳブロック帯域幅と同一でありうる。
【０１４１】
２）ＳＳブロックの上部＋２＊ＳＳブロック帯域幅
【０１４２】
３）ＳＳブロックの下部＋２＊ＳＳブロック帯域幅
【０１４３】
４）中心は（ＲＢ内の）ＳＳブロック＋ＵＥ最小帯域幅と同一でありうる。
【０１４４】
（２）時間位置及びデューレーション
【０１４５】
−第１のＣＯＲＥＳＥＴセットに対して、開始シンボルは、１）第１シンボル、２）第１のＳＳブロックと同一、３）第２のＳＳブロックと同一、または４）第３シンボルのうちの１つを示す２ビットで表現できる。
【０１４６】
−６ＧＨｚ以下と６ＧＨｚ以上で異なるテーブルを使用することができる。例えば、６ＧＨｚ以下の場合、開始シンボルは、１）第１シンボル、２）第３シンボル、３）第４シンボル、または４）第１のＳＳブロックと同一であることを示す２ビットで表現できる。
【０１４７】
−６ＧＨｚ以上（または、両方とも）のみに存在することができる第２のＣＯＲＥＳＥＴセットに対して、開始シンボルは、１）１ＣＯＲＥＳＥＴ以後、または２）第８シンボルのうちの１つを示す１ビットで表現できる。
【０１４８】
−デューレーションの間、１ビットは、１）１シンボル、または２）２シンボルのうちの１つを示すことができる。代案として、この情報は帯域幅と共にシグナリングできる。より小さい帯域幅の場合、１ビットは２または３個のシンボルを示すことができ、より大きい帯域幅の場合、１ビットは、１または２個のシンボルを示すことができる。
【０１４９】
（３）モニタリングウィンドウ：１ビット
【０１５０】
１）１スロット
【０１５１】
２）４スロット
【０１５２】
代案として、モニタリングウィンドウは６ＧＨｚ以下及び６ＧＨｚ以上で異なることがある。例えば、６ＧＨｚ以下の場合、１または４個のスロットが指示されることができ、６ＧＨｚ以上の場合、２または８個のスロットが指示できる。
【０１５３】
第２に、ＤＣＩコンテンツは次を含むことができる。
【０１５４】
（１）周波数資源割り当て：資源割り当て（ＲＡ；ｒｅｓｏｕｒｃｅ  ａｌｌｏｃａｔｉｏｎ）フィールドサイズは初期ＤＬ  ＢＷＰまたは初期ＤＬ  ＢＷＰと初期ＵＬ  ＢＷＰの最大帯域幅に基づいて決定できる。
【０１５５】
（２）時間資源割り当て：３ビット
【０１５６】
１）スロット内の第１のＳＳブロック（開始及びデューレーション）と同一である。
【０１５７】
２）スロット内の第２のＳＳブロック（開始及びデューレーション）と同一である。
【０１５８】
３）スケジューリングＣＯＲＥＳＥＴの開始シンボルから始まってスロットの端で終了する。
【０１５９】
４）スケジューリングＣＯＲＥＳＥＴの以後に始めてスロットの端で終了する。
【０１６０】
５）次のスロットのＣＯＲＥＳＥＴの最大デューレーション後に始めて、次のスロットの端で終了する。
【０１６１】
６）スケジューリングＣＯＲＥＳＥＴまたはＣＯＲＥＳＥＴの最大デューレーション後に始めて、次のＫ番目スロット（ＲＭＳＩのＫ反復）の端で終了する。Ｋは周波数範囲毎に異なるように構成できる（例：６ＧＨｚ以下ではＫ＝４、及び６ＧＨｚ以上ではＫ＝８）。
【０１６２】
７）スケジューリングＣＯＲＥＳＥＴの開始シンボルから始めて、スケジューリングが発生する位置によって第７または第１４シンボルで終了する（または、デューレーションが７または４シンボルに固定される）。
【０１６３】
８）ＣＯＲＥＳＥＴの最大デューレーションの以後に始めて、スケジューリングが発生する位置によって第７または第１４シンボルで終了する（または、デューレーションが７または４個のシンボルに固定される）。
【０１６４】
相異するテーブルエントリーが相異する周波数範囲またはＳＳブロックの数によって考慮できる。または、仕様で多数のテーブルが特定されることができ、ＰＢＣＨ指示で１つのテーブルを選択することができる。
【０１６５】
本発明の一実施形態に従うページング関連構成を説明する。システム帯域幅が指示されなければ、ページングが広帯域搬送波の多数の副帯域（ｓｕｂｂａｎｄｓ）により伝達できる必要がありうる。このために、ＳＳブロック周囲のＳＳブロックサイズに基づいて多数の副帯域が構成され、ページング伝達のために暗示的副帯域が構成できる。ＲＭＳＩが１つのＳＳブロックのみに属する場合、暗示的副帯域構成が遂行できる。
【０１６６】
ＲＭＳＩが多数のＳＳブロックにより共有されれば、これは共通基準を要求することができる。したがって、少なくともＲＭＳＩが共通基準を指示すれば、ページング位置が共通基準に基づいて指示できることが好ましいことがある。
【０１６７】
本発明の実施形態に従う他のＳＩＢ受信が説明される。ＲＭＳＩを読取後、他のＳＩＢを読み取る観点から、ＣＯＲＥＳＥＴ構成は次の通りである。
【０１６８】
（１）接近法１：他のＳＩＢのための分離されたＣＯＲＥＳＥＴが使用できる。
【０１６９】
図１４は、本発明の一実施形態に従う他のＳＩＢ受信の例を図示する。図１４を参照すると、ＲＭＳＩ用ＣＯＲＥＳＥＴと別途の他のＳＩＢに対するＣＯＲＥＳＥＴを使用することができる。特に、ＲＭＳＩ（ＰＢＣＨのようなヌメロロジーを使用する）と他のＳＩ（一般的なデータ／制御と同一のヌメロロジーを使用する）の間に異なるヌメロロジーが使われる場合である。この場合、ＲＭＳＩ用ＣＯＲＥＳＥＴを構成することと類似の方法を考慮することができ、実際の構成はＰＢＣＨの代わりにＲＭＳＩで遂行することができる。例えば、各ビーム方向に対する個別ＣＯＲＥＳＥＴ構成は、特定ビームに対するＲＭＳＩにより提供できる。この接近法の短所はＵＥが多数のビームに対するＣＯＲＥＳＥＴ情報を獲得するために多数のＲＭＳＩを獲得する必要があるということである。他の接近法は、多重ビームにより共有される共通ビームＣＯＲＥＳＥＴを示すものでありうる。ＲＭＳＩとは異なるＣＯＲＥＳＥＴが他のＳＩに対して使われる場合、ＵＥ帯域幅性能によってＵＥは自身の周波数をリチューニングしなければならないことがある。したがって、ＲＭＳＩと同様に、別途の構成を使用すれば、データ帯域幅がＣＯＲＥＳＥＴと同一であるか、またはデータ帯域幅の明示的な構成が構成できる。
【０１７０】
受信機ＤＣ（ｄｉｒｅｃｔ  ｃｕｒｒｅｎｔ）副搬送波は、最大帯域幅（制御帯域幅、データ帯域幅）の中心またはシステム帯域幅の中心にありうる。言い換えると、ＵＥがシステム帯域幅より狭い帯域幅をサポートすれば、ＲＸ  ＲＦの中心は現在受信された制御／データの中心にありえ、ＵＥがシステム帯域幅と同一の帯域幅をサポートすれば、システム帯域幅の中心が受信機ＤＣ副搬送波に対して使用できる。実際受信機ＤＣ副搬送波は異なることがある。これは、受信機ＤＣ副搬送波を処理する仮定のためのものであって、例えばＤＭ−ＲＳ（ｄｅｍｏｄｕｌａｔｉｏｎ  ｒｅｆｅｒｅｎｃｅ  ｓｉｇｎａｌ）マッピングを回避するためのものである。言い換えると、ＲＭＳＩ／他のＳＩの制御／データの中心で転送はＤＭ−ＲＳとマッピングされないことがある。したがって、制御／データの中心または制御／データの中心に対する中心周波数の間のギャップはＲＭＳＩまたは他のＳＩ転送（または、２以上の大きい副搬送波間隔）に使われたヌメロロジーに基づいてＲＢの倍数にならなければならない。
【０１７１】
図１５は、本発明の一実施形態に従う他のＳＩＢ受信の例を示す。ＵＥ帯域幅の観点から、ＵＥは自身のＲＦ性能及び測定セッティングによって相異する周波数で自身の周波数を増加またはリチューニングすることができる。測定を処理するために、最小ＵＥ帯域幅に基づいた明示的副帯域を有することと見なされることができ、ＣＯＲＥＳＥＴを自身の副帯域に合せて構成することができる。図１５を参照すると、測定ＲＳはシステム帯域幅を通じて転送されることができ、初期接続の間ＵＥが測定を遂行しなければならない場合、ＵＥはその性能によって部分帯域幅を測定することができる。ＵＥが初期にＳＳブロックに基づいて測定を遂行する必要があるので、必要なＳＳブロックが各々の副帯域で転送されることができ、ＲＭＳＩ／他のＳＩは、副帯域のうちの１つのみから転送できる。この接近法が使われる場合、ＲＭＳＩ／他のＳＩが転送されるアンカー副帯域の中心がまた指示できる。
【０１７２】
（２）接近法２：ＲＭＳＩに対する同一のＣＯＲＥＳＥＴが他のＳＩにも使用できる。ＲＭＳＩの構成がなければ、他のＳＩに対するＣＯＲＥＳＥＴに同一のＲＭＳＩ用ＣＯＲＥＳＥＴを使用することもできる。異なるＤＣＩサイズがＲＭＳＩ及び他のＳＩ転送に使われる場合、ＲＭＳＩに対する制御モニタリングと異なることがある他のＳＩ転送のためにＣＯＲＥＳＥＴ／検索空間をモニタリングする周期を少なくとも構成することが考慮できる。
【０１７３】
本発明の一実施形態に従うＲＡＲ受信について説明する。ＲＡＲは手続きによって他のＳＩより先に接続できる。他のＳＩのためのメカニズムがＲＡＲにも適用できる。チャンネル相互性が使われる場合、最上のＴＸビームに対するＰＲＡＣＨが選択され送信できる。ＵＥは、最上のＴＸビームからのＲＡＲ受信を期待することができる。そうでなければ、恐らく最上のビームに対するＰＲＡＣＨが選択されてメッセージ内で最上のＴＸビーム指示と共に転送できる。ネットワークが最上のＴＸビームを受信すれば、ネットワークは報告された最上のＴＸビームを使用してＲＡＲを転送することができる。Ｍｓｇ  ３／４に対するビームペアが動的シグナリングを介して追加で指示されるか、またはＳＩＢで構成できる。
【０１７４】
全般的に、動的シグナリングを介して再構成または指示される場合まで、ＵＥは初期接続から選択されたビームペアが共通制御メッセージ転送のために使用できると仮定することができる。しかしながら、無線リンク管理（ＲＬＭ；ｒａｄｉｏ  ｌｉｎｋ  ｍｏｎｉｔｏｒｉｎｇ）またはビーム管理測定に基づいて、ＵＥが自身のビームを最上のビームにスイッチングすることもできる。例えば、ＲＬＭが多数のＳＳブロックに亘って遂行される場合、最上のビームが選択されることができ、ＵＥはＣＳＳ受信のために選択された最上のビームを使用することができる。ＵＥが最上のビームにスイッチングする場合、ビームがネットワークに指示されることができ、これによってネットワークが最上のビームによってＣＳＩ−ＲＳ構成を再構成することもできる。しかしながら、ＲＡＲ受信に対して、ＰＲＡＣＨ転送で指示されない限り、ＰＲＡＣＨ転送のために選択されたビームはＲＡＲ受信のために使用できる。Ｍｓｇ４のような対応メッセージが同一のビーム方向に同一のＣＳＳを使用することもできるので、ＵＥはＭｓｇ３転送により（あれば）最上のビームの変化を指示することができる。そうでなければ、初期接続を通じて検索された同一のビーム方向がＲＡＣＨ手続きのために使用できる。
【０１７５】
また、共通データは初期接続から選択されたビームペアのうちの１つを使用して転送されることもできる。転送される場合、ビーム方向の情報はＵＥが制御／データ受信のために適切な同期化などが獲得できるようにＵＥに知られる必要がある。また、ＲＳの場合、同一のビーム方向がＲＳ送信に使用できる。このような意味で、共有ＲＳの場合、ビーム方向のうちの１つに対するＱＣＬ関係が到達角度、受信されたタイミング、平均遅延などに対して仮定できる。これは、異なる制御検索空間（例えば、ＲＭＳＩ用ＣＳＳ、異なるＳＩ用ＣＳＳ）に対してまた適用できる。即ち、ＣＳＩ−ＲＳ構成の以前にＱＣＬ関係がＳＳブロックを参照して明示的または暗示的に提供できる。暗示的メカニズムが使われる場合、これはＰＲＡＣＨと連関されることができ、ＤＬ及びＵＬに対するビームがＰＲＡＣＨ転送のために選択されたビームにより決定できる。明示的な構成が与えられれば、ビームインデックスまたはＳＳブロックインデックスが使用できる。暗示的構成が提供されれば、ＣＯＲＥＳＥＴは各ＳＳブロックと関連できる。ＱＣＬに対する一部の属性（例：平均遅延及び到達角度）のみ仮定することができる。
【０１７６】
共通データに対する制御チャンネルの場合、一部のビーム方向に対するＱＣＬ関係がまた仮定できる。この共通制御チャンネルは、ＲＬＦ（ｒａｄｉｏ  ｌｉｎｋ  ｆａｉｌｕｒｅ）のために使用できる。ＵＥが共通制御チャンネル受信のために２つ以上のビーム方向に構成される場合、ＲＬＦは２つ以上のビーム方向でも遂行できる。ＵＥ  ＲＬＦ測定のオーバーヘッドを最小化するために、ＲＬＦに対して制御チャンネル構成で別途に構成または指示できる主ビーム方向のみ使用できる。類似するように、リストからのＴＸ／ＲＸビームペアのうち、単に１つまたはサブセットのみオーバーヘッド減少のための制御チャンネルモニタリングのために追加で構成できる。リストはビーム管理目的のみに使われることができ、この場合、ＲＬＦは構成された基本ビームペアで遂行されることができ、ビーム管理手続きはＲＬＦ処理前に遂行できる。
【０１７７】
本発明の一実施形態に従うＣＳＩ−ＲＳ構成の以後の動作が説明される。一部のビームＲＳまたは一部の他の手段に基づいて、より微細（ｆｉｎｅ）であるか、または相異するビーム方向はＲＡＣＨ手続きの間またはＲＲＣ構成（または、等価の手続き）を通じてＲＡＣＨ手続きの後にＵＥに構成できる。ＣＳＩ−ＲＳ構成が与えられる場合、少なくとも平均遅延の観点からビーム方向に対するＱＣＬ関係が各ＣＳＩ−ＲＳ毎に構成できる。これは、特にＣＳＩ−ＲＳ資源を適切に受信するためのＲＸビームペアを決定することに必要である。しかしながら、ＱＣＬ関係が与えられなければ、ＣＳＩ−ＲＳに対する追加的なＴＸ／ＲＸビームペアリング手続きが追加で考慮されることができ、ＵＥはサービングセルからの測定及び同期信号に基づいて時間／周波数追跡を仮定することができ、可能に共有されたＲＳ基盤の制御チャンネルまたは初期ビーム方向に基づいた制御チャンネルのためのＴＸ／ＲＸビームペアに追加で構成されたＣＳＩ−ＲＳ資源セットのためにＴＸ／ＲＸビームペアを維持することができる。ＱＣＬ構成の観点から、ビーム方向及びＱＣＬ関係の特性（例：単に、平均遅延、平均遅延＋到達角度など）が構成できる。ＣＳＩ−ＲＳは制御チャンネル及びＣＳＩ−ＲＳがＱＣＬ関係を有することができる限り（即ち、同一のビーム方向から）、制御が転送される同一のシンボルで転送できる。次の事項が考慮できる。
【０１７８】
−ＵＥ特定ＲＳ及び／又はＵＳＳは構成されたＣＳＩ−ＲＳ構成のうちの１つと整列されるビーム方向に構成できる。言い換えると、ＵＥ特定ＲＳ及び／又はＵＳＳは制御／ＲＳ転送のために使われたビーム方向を示すためにＣＳＩ−ＲＳ資源インデックスで構成できる。言い換えると、ＵＳＳの場合、ＣＳＩ−ＲＳ資源に対するＱＣＬ関係が指示できる。
【０１７９】
−共有ＲＳ及び／又はＧＳＳまたはＣＳＳはビーム方向が構成されたＣＳＩ−ＲＳ構成のうちの１つと整列されるように構成できる。これは、資源セットがＣＳＳとＵＳＳとの間に共有される場合、特に必要でありうる。代案として、ＣＳＳとＵＳＳが個別的に構成されるか、または各々に対する資源セットが独立的に構成された場合、ＣＳＳはＳＳブロックのうちの１つとＱＣＬされることができ、ＵＳＳはＣＳＩ−ＲＳのうちの１つとＱＣＬできる。これを使用すれば、ＵＳＳモニタリングでないＣＳＳモニタリングのためにＲＬＭ測定が発生できる。ＲＬＭは、ＳＳブロックで運搬されるＲＳ及び／又はチャンネル転送に基づいて発生することができる。ＣＳＳ及び／又はＵＳＳに対して多数個のビームが構成された場合、異なるメカニズムを使用すれば異なる構成や指示が必要でありうる。ＣＳＳに対して多数個のビームを構成し、ＣＳＳがＳＳブロックとＱＣＬされれば、ＳＳブロックインデックスのうちの１つ以上をモニタリングするように構成することができ、ＵＳＳの場合、１つ以上のＣＳＩ−ＲＳ資源を指示することができる。
【０１８０】
−また、共有ＲＳはＵＳＳに対するＣＳＩ−ＲＳ資源とＱＣＬ関係で構成できる。共有ＲＳはＵＳＳの場合にもビーム方向に対してＱＣＬ関係で構成できる。
【０１８１】
−初期信号のビーム方向に対するＱＣＬ関係に基づいて、ＵＳＳに対する共有ＲＳがＣＳＳに対しても共有できる。
【０１８２】
−ＲＬＦ及び異なる動作をよくサポートするために、ビーム方向のうちの１つにＱＣＬされたＣＳＩ−ＲＳ資源を構成することが好ましいことがある。そうでない場合、共通チャンネルでの測定はビーム精製（ｒｅｆｉｎｅｍｅｎｔ）／ＲＳに基づくことができる。
【０１８３】
−ビーム方向は初期セルＣＳＳ（例：ＲＡＲ、Ｍｓｇ４スケジューリング）のみに連関することができ、ビームインデックスの代わりにＣＳＩ−ＲＳ資源インデックスのうちの１つと連関したＧＳＳが構成できる。これはまたセルＣＳＳにも適用できる。
【０１８４】
以下、本発明の実施形態に従って制御チャンネルの多様な様相が提案される。
【０１８５】
１．帯域幅適応を通じての検索空間構成
【０１８６】
ＵＥが全てのＤＬまたはＵＬをモニタリングするＵＥ特定帯域幅はＵＢＷ（各々ＤＬ  ＵＢＷまたはＵＬ  ＵＢＷ）と称されることができる。ここで、ＤＬ  ＵＢＷは主に制御資源セット構成に集中できる。ＵＢＷ再構成の観点から次のような場合が考慮できる。
【０１８７】
−場合１：新規ＵＢＷが以前ＵＢＷと重畳しない。
【０１８８】
−場合２：新規ＵＢＷが以前ＵＢＷより大きく、新規ＵＢＷは以前ＵＢＷを完全に含む。
【０１８９】
−場合３：新規ＵＢＷが以前ＵＢＷより大きく、新規ＵＢＷは部分的に以前ＵＢＷを含む。
【０１９０】
−場合４：新規ＵＢＷは以前ＵＢＷより小さく、以前ＵＢＷは新規ＵＢＷを完全に含む。
【０１９１】
−場合５：新規ＵＢＷが以前ＵＢＷより小さく、以前ＵＢＷは新規ＵＢＷを部分的に含む。
【０１９２】
帯域幅適応または周波数範囲がＵＥに対して変更される場合、検索空間及び／又は制御資源セットの再構成がまた必要でありうる。再構成期間の間不必要なサービス中断時間を避けるためのフォールバックメカニズムを考慮しなければならない。再構成は上位階層シグナリング、ＭＡＣ（ｍｅｄｉａ  ａｃｃｅｓｓ  ｃｏｎｔｒｏｌ）ＣＥ（ｃｏｎｔｒｏｌ  ｅｌｅｍｅｎｔ）、またはＬ１シグナリングにより遂行できる。次の接近法を考慮することができる。
【０１９３】
（１）接近法１：シームレスハンドオーバーと類似の手続き
【０１９４】
ハンドオーバーと類似するように、以前ＵＢＷ及び新規ＵＢＷからの制御／データ転送はネットワークが再構成の完了を確信するまで共存することができる。新規ＵＢＷが以前ＵＢＷと部分的に、または完全に重畳すれば、この方法が効果的でないことがある。この問題を緩和するために、新規ＵＢＷを以前ＵＢＷと常に重複しないようにすることができる。または、新規ＵＢＷが以前ＵＢＷと重畳すれば、少なくとも１つのＣＯＲＥＳＥＴまたは検索空間が変更されず、維持されてＵＥがそれから制御を獲得することができる。新規ＵＢＷが変更されないＣＯＲＥＳＥＴまたは検索空間の帯域幅を含む帯域幅を含むことが好ましいことがある。
【０１９５】
（２）接近法２：有効時間が再構成メッセージで指示される
【０１９６】
代案として、再構成が効果的でありうる有効時間が指示できる。有効時間または現在時間と有効時間の間のギャップは指示メッセージの多重再転送が可能である程度に十分に大きいことがある。有効時間はスロットまたはミニスロットの観点から有効時間に対する指示メッセージ間の間隔またはオフセットで与えられることができる。
【０１９７】
再構成メッセージがＬ１シグナリングにより提供される場合、確認応答（ＡＣＫ；ａｃｋｎｏｗｌｅｄｇｅｍｅｎｔ）が通知できる。また、特にＵＬ  ＵＢＷ変更に対して、Ｌ１シグナリングは、特にリチューニングレイテンシーを十分に吸収する制御及びＰＵＳＣＨの間にギャップが存在する場合、ＵＬ承認で明示的に指示するＵＥの帯域幅を変更することに使用できる。これは、ＤＬに対しても考慮できる。この接近法の短所はＰＵＣＣＨまたは他の非−ＰＵＳＣＨチャンネルに対するＵＬ  ＵＢＷが特にＵＬ承認が欠落するか、またはＵＬ承認が転送されない時に曖昧になることがあるということである。したがって、一般的にＤＬ及びＵＬ  ＵＢＷ適応の全てで類似のメカニズムが仮定できる。また、アンペアドスペクトル動作のために、ＤＬ及びＵＬに対して同一のＵＢＷを仮定することがまた有益でありうる。または、帯域幅が異なる場合、少なくとも中心周波数は同一でありうる。
【０１９８】
（３）接近法３：タイマーが動作し、タイマーが満了すれば、新しい構成が有効になる。
【０１９９】
代案として、再構成メッセージが受信される度に、ＵＥは再構成メッセージまたは新しい再構成メッセージの再転送時にリセットできるタイマー（ｎｅｗ−ｃｏｎｆ−ｅｆｆｅｃｔｉｖｅ−ｔｉｍｅｒ）を始めることができる。タイマーが満了するまでＵＥがいかなる再構成メッセージも受信しなければ、ＵＥはその構成が有効であると仮定することができる。例えば、ＭＡＣ  ＣＥを使用する場合、タイマー値は８ＴＴＩに設定できる。ＨＡＲＱ−ＡＣＫが８ＴＴＩ内に受信されれば、新しいＴＴＩの設定は８ＴＴＩの後に有効でありうる。ネットワークがＨＡＲＱ−ＡＣＫを受信しなければ、ネットワークは再構成メッセージを再転送することができ、ＵＥはタイマーをリセットすることができる。ネットワークが多重帯域幅構成を構成するか、またはＵＥが自身の帯域幅を適応させるように構成する場合、帯域幅適応のための新しいタイマーが使用できる。
【０２００】
（４）接近法４：ＵＥブラインド検出に依存
【０２０１】
代案として、ＵＥは多数の候補（例えば、以前ＵＢＷ及び新規ＵＢＷ）に対してブラインドデコーディングを遂行することができる。
【０２０２】
帯域幅適応は、交差−スロットスケジューリングの間（例えば、制御及びその対応するデータ間の）発生しないことがある。制御及びデータ（ＵＬ及びＤＬ含み）の間のギャップ内に帯域幅適応が発生すれば、ＵＥは自身の送信または受信を中断させることができる。多重スロットスケジューリングにも類似の問題が適用できる。言い換えると、ＵＥがデータ受信または転送中に帯域幅適応を検出すれば、ＵＥはその受信または転送を中断することができる。代案として、ＵＥはデータ受信または転送の間、帯域幅適応で構成されることと予想しないことがある。これが使われれば、ＵＥは必要であれば、データ受信または転送の間、帯域幅適応のためのＬ１シグナリングに対するデコーディングを省略することができる。または、タイマー基盤接近法が使われれば、新規構成は受信または転送完了後に有効になることができる。ＳＳブロック内の多重化制御／データが構成できる。
【０２０３】
ＳＳブロック構成のために、スロット内での開始シンボルが構成されることができ、スロットサイズによって異なることがある。スロットサイズが７であれば、１つのＳＳブロックのみスロットに配置できる。スロットサイズが１４の場合、最大３個のＳＳブロックがスロットに配置できる。データ転送に比べてＳＳブロックに異なるヌメロロジーが使用されることもできる。これは、データとＳＳブロックとの間に同一のヌメロロジーが使われると仮定する。互いに異なるヌメロロジーが使われる場合、ＳＳブロック内で使用／発生した転送に対して同一のヌメロロジーが使用できる。即ち、ＳＳブロック内で同一のヌメロロジーを使用することができる。１つのスロットがＳＳブロックのために充分でなければ、次のスロットに続ける代わりに、ＳＳブロックスロット間の一部のギャップ（例えば、１スロット）が構成できる。これは合理的なレイテンシーでＵＬ転送を許容するものである。代案として、スロット内のＳＳブロックの数を減少させることによって、ＤＬまたはＵＬのうち、いずれか１つが使用できる柔軟性部分がまた考慮できる。
【０２０４】
データに対するヌメロロジーが１５ｋＨｚ副搬送波間隔であり、ＳＳブロックに対するヌメロロジーが３０ｋＨｚ副搬送波間隔である場合（または、データに対するヌメロロジーが６０ｋＨｚ副搬送波間隔であり、ＳＳブロックに対するヌメロロジーが１２０ｋＨｚ副搬送波間隔またはＳＳブロックのヌメロロジーがデータのヌメロロジーの２倍である任意の場合）が仮定できる。この場合、スロットサイズは７個のシンボルでありうる。この場合、各スロットに３個のＳＳブロックが配置されることができ、制御領域（ＤＬまたはＵＬ）のために１つのシンボルを残すことができる。または、スロットサイズが１４個のシンボルでありうる。この場合、シンボルを予約せず、各スロットに７個のＳＳブロックを配置することができる。一部の制御領域を残すために、より小さいＳＳブロックが配置できる。ＤＬ制御のための２つのシンボルとガード期間（ＧＰ；ｇｕａｒｄ  ｐｅｒｉｏｄ）を有するＵＬ制御のための１つのシンボルを仮定すれば、５個のＳＳブロックが各々のスロットに配置できる。
【０２０５】
データのヌメロロジーが３０ｋＨｚ副搬送波間隔であり、ＳＳブロックのヌメロロジーが１５ｋＨｚ副搬送波間隔である場合（または、データのヌメロロジーは１２０ｋＨｚ副搬送波間隔であり、ＳＳブロックのヌメロロジーは６０ｋＨｚ副搬送波間隔またはＳＳブロックのヌメロロジーがデータのヌメロロジーの半分である任意の場合）が仮定できる。この場合、スロットサイズは１４個のシンボルでありうる。この場合、１つのＳＳブロックが各データスロットに配置されることができ、１５ｋＨｚ副搬送波間隔に基づいた１つのシンボルは制御のための１５ｋＨｚ副搬送波間隔の７個のシンボルの始まりと終わりを残すことができる。これは、スロットサイズが７シンボルである場合に適用できる。
【０２０６】
データに対する副搬送波間隔またはヌメロロジーは、基本データヌメロロジー（周波数範囲当たり仕様で固定された）、ＲＭＳＩ転送（制御及び／又はデータ）に対するヌメロロジー、ＰＲＡＣＨに対するヌメロロジー、ＲＡＲに対するヌメロロジー、またはヌメロロジーＵＳＳのうちの１つでありうる。
【０２０７】
ＣＯＲＥＳＥＴデューレーションがＳＳブロックにより予約されたシンボルより大きい場合、ＳＳブロックが活性化されれば（即ち、転送が発生すれば）、制御はＳＳブロック資源周囲でレートマッチングできる。レートマッチングはビームがネットワークスケジューリングにより処理されると仮定すれば、重畳した資源に対してのみ遂行できる。
【０２０８】
代案として、レートマッチングはＳＳブロック資源の全体シンボルに対して遂行できる。この場合、全体シンボルは予約され、予約されたシンボルには資源要素グループ（ＲＥＧ；ｒｅｓｏｕｒｃｅ  ｅｌｅｍｅｎｔ  ｇｒｏｕｐ）マッピングが発生しないことがある。一般的に、予約シンボルではＲＥＧマッピングが発生しないことがあり、ＳＳブロック資源がまた予約できる。例えば、時間ドメインに亘ったＲＥＧバンドリングがＣＯＲＥＳＥＴデューレーションと同一の場合、予約されたシンボルの数によって、これはより小さいことがある。例えば、ＣＯＲＳＥＴデューレーションが３シンボルであり、ＳＳブロックに第３シンボルが使われれば、ＲＥＧバンドリングは３シンボルの代わりに２シンボル上で発生することができる。即ち、ＳＳブロックの資源によって活性ＳＳブロックが存在するか否かによって各スロットでＣＯＲＥＳＥＴデューレーションが変更できる。時間ドメインＲＥＧバンドリングサイズが変更されれば、周波数ドメインバンドリングサイズのサイズも変更できる。言い換えると、ＳＳブロックまたはその他の理由によって予約されるか、またはレートマッチングされたシンボルにＲＥＧが形成されないことがある。この場合、ＣＯＲＥＳＥＴの有効デューレーションは構成されたデューレーションと比較して減少できる。代案として、レートマッチングされるシンボルにＲＥＧが形成できるが、レートマッチングされたＲＥＧと重畳する候補はモニタリングされないことがある。時間−優先マッピングの場合、全ての候補がモニタリングされないことがある。即ち、ＣＯＲＥＳＥＴはこのような場合、非効率的である。更に他の接近法はＲＥＧ−制御チャンネル要素（ＣＣＥ；ｃｏｎｔｒｏｌ  ｃｈａｎｎｅｌ  ｅｌｅｍｅｎｔ）マッピングまたはＲＥＧバンドリングサイズを変更せず、単にＲＥＧに対する予約された、またはＳＳブロックの周囲でレートマッチングするものである。即ち、レートマッチングが発生すれば、ＣＣＥ当たり有効ＲＥＧの数が減少できる。
【０２０９】
全体シンボルまたはＳＳブロック周囲でのみレートマッチングを適用するか否かは、同一のビームがデータとＳＳブロックとの間に使われるか否かによって変わることができる。同一のビームがデータとＳＳブロックとの間で使われるか否かを決定するために、ＵＥはビーム方向に基づいて決定することもできるか、またはＤＣＩで指示されることもできる。代案として、セル共通ＰＤＳＣＨに対し、ＰＤＳＣＨとＳＳブロックとの間に同一のビームが使われると仮定すれば、ＳＳブロックの周囲でのみレートマッチングが適用できる。ＵＳＳ  ＰＤＳＣＨレートマッチングは全体シンボルに適用できる。
【０２１０】
ビーム構成によってレートマッチングのためにどんなオプションを使用するかを選択することができる。これは、ＳＳブロックとＣＯＲＥＳＥＴの間に同一であるか、または周波数範囲によって異なることがある。また、周波数範囲毎に互いに異なるレートマッチングオプションが使用できる（例えば、１ＧＨｚ未満に対して第１接近法、６ＧＨｚ以上に対して第２接近法）。
【０２１１】
データレートマッチングのためのＳＳブロックはＵＥが接続された、またはＵＥが接続しているＳＳブロックと互いに異なることがある。また、システム帯域幅内に多数のＳＳブロックが存在すれば、ＵＥはＳＳブロックのリスト及びそれと連関した周期（及び／又は時間／周波数資源）で指示できる。該当情報に基づいて、各々のＵＥは各々のＳＳブロックに対して適切なレートマッチングを遂行することができる。これはまたＵＥ特定予約資源構成により具現されることができ、相異するＳＳブロックがレートマッチングのために指示できる。全体シンボルがレートマッチングされなければならないと、予約された資源は全体シンボルになるように構成できる。
【０２１２】
類似のレートマッチングがまたデータ転送にも適用できる。また、レートマッチングオプションに対する構成可能性がある場合、同一のシンボルで同一のレートマッチングがＢＷＰ内に適用できる。即ち、ＢＷＰ別に異なる構成が考慮できるが、同一の構成がＢＷＰ内で使用できる。より一般的に、予約された資源構成セットは構成されたＢＷＰ毎に異なるように構成できる。活性化されたＢＷＰによって、ＵＥは相異するセットの予約された資源構成を適用することができる。これはまた、動的に指示された予約資源に適用されることができ、予約された資源セット（動的に指示される）は各ＢＷＰ毎に半静的に構成される（多数のＢＷＰ間の共同構成も考慮できる）。
【０２１３】
より一般的に、これは予約された資源構成にも適用できる。予約資源が時間及び周波数資源で構成されることができ、レートマッチングはシンボルレベルに発生することができる。また、ＳＳブロックに対するヌメロロジーがＣＯＲＥＳＥＴ／データのヌメロロジーと異なる場合、予約された資源構成はＳＳブロックヌメロロジーにより与えられることができ、これはデータヌメロロジーによって解釈される。例えば、ＳＳブロックヌメロロジーが１５ｋＨｚ副搬送波間隔であり、ＣＯＲＥＳＥＴ／データヌメロロジーが３０ｋＨｚ副搬送波間隔である場合、１つの予約されたシンボルは２シンボルのデータに対応することができる。シンボル位置は１５ｋＨｚ副搬送波間隔に基づいたシンボルレベル整列に基づいて決定できる。特に、ＳＳブロック及びデータヌメロロジーが異なる場合、多数のヌメロロジーをサポートせず、ＳＳブロックに対するＵＥ測定を許容するために、全体シンボルがレートマッチングできる。一部のＵＥが２つのヌメロロジーを同時にサポートしないことがあると仮定すれば、構成無しでＵＥグループまたはセル特定ＣＯＲＥＳＥＴ／データ転送に対してシンボルレベルレートマッチングが適用できる。
【０２１４】
ヌメロロジーが同一であっても、少なくともビーム形成が使われる場合、共通制御／データに対して全体シンボルがレートマッチングできる。構成可能性が与えられれば、これはＳＩから構成できる。したがって、少なくともＲＭＳＩの場合、基本動作はＣＯＲＥＳＥＴまたはデータに対するＳＳブロックの全体シンボルでレートマッチングされると仮定することができる。代案として、資源に対するレートマッチングで基本動作を設定することができる。
【０２１５】
スタンド−アローン（ｓｔａｎｄ−ａｌｏｎｅ）またはＲＲＣ−ＩＤＬＥ  ＵＥにより識別可能なＳＳブロックに対して、少なくとも多数のＳＳブロックがネットワークにより転送される場合、スロットの同一のシンボルで使われた周期及びビームインデックスは多数のＳＳブロックに亘って同一でありうる。また、各位置でのＳＳブロックに対するシンボル観点からの位置は同一でありうる。
【０２１６】
ＳＳブロックとデータの多重化の観点から、次のオプションが考慮できる。
【０２１７】
（１）データ及びＳＳブロックの多重化無し：制御チャンネルの以外に、データはＳＳブロックを含むスロットを通じて転送できない。この場合、ＲＳ転送またはＲＬＦ−ＲＳ転送を追跡するためにＳＳブロックが使用できる。または、ＳＳブロックは無線資源管理（ＲＲＭ；ｒａｄｉｏ  ｒｅｓｏｕｒｃｅ  ｍａｎａｇｅｍｅｎｔ）測定またはＣＳＩ−ＲＳ転送のために使用できる。
【０２１８】
（２）セル共通放送のためのデータ及びＳＳブロックの多重化：データ転送のサイズはＤＣＩにより指示できるか、またはＳＳブロックサイズと整列できる。追跡ＲＳ及び／又はＣＳＩ−ＲＳが相異するビーム方向に転送できるので、周期的追跡ＲＳ及び／又はＣＳＩ−ＲＳ転送がＳＳブロックと整列されるように構成できる。したがって、制御がＳＳブロックと整列されて受信される場合、データサイズの指示が必要でありうるか、または交差スロットスケジューリングが使用できる。この場合、同一のデータがいろいろなビーム方向を通じて転送できる。しかしながら、異なるＴＲＰが異なるデータを転送することもできる。この場合に、ＵＥが多数の反復を集成できるか否かは明示的に指示できる。該当情報はＰＳＳ／ＳＳＳ／ＰＢＣＨと同一でありうる。即ち、同一のＴＲＰからのＳＳブロックのグループがＵＥに指示できるので、一部のＵＥが相異するビーム方向から多数の反復を集成することを試みることができる。
【０２１９】
（３）スケジューリングを通じてデータの多重化が可能でありうる。ＵＥは、ＳＳブロックとＱＣＬ関係を有する制御チャンネルを受信することと予想することができ、データ転送をスケジューリングする制御チャンネルをモニタリングすることができる。データ転送のサイズはＤＣＩにより指示できるか、またはＳＳブロックサイズと整列できる。追跡ＲＳ及び／又はＣＳＩ−ＲＳが相異するビーム方向に転送できるので、周期的追跡ＲＳ及び／又はＣＳＩ−ＲＳ転送がＳＳブロックと整列されるように構成できる。したがって、制御がＳＳブロックと整列されて受信される場合、データサイズの指示が必要でありうるか、または交差スロットスケジューリングが使用できる。これをサポートするために、ＵＥは各々のＳＳブロックで使われるＴＸビームを知る必要があり、これは同一であるか、またはＰＢＣＨ及び／又はＳＩＢに指示されることができ、そして／またはＵＥがブラインドするように探索しなければならないビームシーケンスが変更されたか否か、または該当シーケンスはＳＩＢ転送またはＵＥ特定シグナリングを介してアップデートできる。
【０２２０】
たとえネットワーク構成に依存するが、ネットワークはＵＥ観点から制御チャンネルをモニタリングするか否かを知らせる必要がない異なるオプションを選択することができる。与えられたＳＳブロックに対してＰＳＳ／ＳＳＳ／ＰＢＣＨとＱＣＬ関係を有する各々のＳＳブロックで制御チャンネルが転送できるか否かを示すために、これはネットワークにより構成できる。指示がＰＢＣＨまたはＳＩＢまたはＵＥ特定シグナリングで与えられれば、ＵＥは可能なデータスケジューリングのための制御チャンネルモニタリングのために構成されたビーム方向に対応する制御チャンネルをモニタリングすることができる。また、構成によりＳＳブロックと整列できる任意のＲＳ転送が構成できる。ＲＳ転送構成がＳＳブロックと整列されているか否かはＵＥに透明でありうる。ＵＥがＳＳブロックで制御チャンネル転送または可能なデータの多重化で指示される場合、ＵＥはスケジューリングされた制御モニタリング機会に追加してそのような制御機会をモニタリングすることができる。このような追加的な制御モニタリングのために、通常的な制御チャンネルモニタリング場合と相異する資源セット及び／又は検索空間が構成できる。また、モニタリングするブラインドデコーディング候補の数が個別的に構成できる。
【０２２１】
２．ＲＬＦ
【０２２２】
ＲＬＦはリンク品質モニタリングに基づいてＵＥが制御チャンネルを成功裏に受信することができるか否かに対する状態を指示することに使われる。ＬＴＥで、ＲＬＦはＰＤＣＣＨ上の制御チャンネルに対するＣＲＳ（ｃｅｌｌ−ｓｐｅｃｉｆｉｃ  ｒｅｆｅｒｅｎｃｅ  ｓｉｇｎａｌ）に基づいてモニタリングされる。ＮＲでは多数の検索空間（例：ＲＡＲ受信用ＣＳＳ、ページング受信用ＣＳＳ、ＧＳＳ、ＵＳＳなど）が構成されていなければならない。互いに異なる制御チャンネル間に共有検索空間がなければ、ＲＬＦを測定する方法を定義しなければならない。次は、可能な候補ＲＳである。
【０２２３】
（１）ＳＩＮＲ（ｓｉｇｎａｌ  ｔｏ  ｎｏｉｓｅ  ａｎｄ  ｉｎｔｅｒｆｅｒｅｎｃｅ  ｒａｔｉｏ）／チャンネル品質測定ＲＳ
【０２２４】
−ＣＳＳまたはＧＳＳのために使われる共有ＲＳはＲＬＦのために使用できる。
【０２２５】
−測定に使われた測定ＲＳはＲＬＦに対して使用できる。
【０２２６】
−ＰＳＳ／ＳＳＳのような同期化信号がＲＬＦに対して使用できる。
【０２２７】
−（ＲＬＦに対して指示／構成された）ＣＳＩ−ＲＳがＲＬＦに対して使用できる。これはＲＲＭ測定と共有されることもできる。
【０２２８】
−ビーム測定ＲＳがＲＬＦに対して使用できる。
【０２２９】
−ＵＥ−特定またはＵＳＳに対して共有されたＤＭ−ＲＳがＲＬＦに対して使用できる。
【０２３０】
−ＲＬＦに対する専用ＲＳが使用できる。
【０２３１】
−制御チャンネルのために使われたＲＳがＲＬＦに対して使用できる。
【０２３２】
−セルまたはグループ共通追跡ＲＳがＲＬＦに対して使用できる。これは、少なくとも周期的に転送できる。
【０２３３】
−少なくとも周期的に転送されるセルまたはグループ共通ＲＳがＲＬＦに対して使用できる。
【０２３４】
例えば、追跡及び／又は測定及び／又はフィードバックの目的のために、セル共通またはグループ共通ＲＳが転送できる。このようなＲＳがＲＬＦに対して使用できる。周期的ＲＳがＰＣｅｌｌ（ｐｒｉｍａｒｙ  ｃｅｌｌ）またはＣＳＳまたはＧＳＳが構成されたセルでのみ転送できる。他のセル／搬送波に対して、このようなＲＳは省略されることができ、ＰＣｅｌｌから転送されたＲＳは他のセル／搬送波上での追跡のために使用できる。
【０２３５】
たとえ検索空間に対する共有ＲＳがＲＬＦに対して使われても、ＲＳは該当検索空間上にスケジューリングがある場合のみに転送できる。そのような場合、ＲＬＦでの測定は次の通りである。
【０２３６】
−機会論的（ｏｐｐｏｒｔｕｎｉｓｔｉｃ）ＲＬＦ：ＲＬＦはＲＳが転送される期間でのみ測定できる（ＵＥがＤＲＸ（ｄｉｓｃｏｎｔｉｎｕｏｕｓ  ｒｅｃｅｐｔｉｏｎ）にない間）。より詳しくは、ＲＬＦ測定のための検索空間が構成されれば、このような類型の動作がセコンダリーセルに対して使用できる。
【０２３７】
−周期的ＲＬＦ測定：実際のスケジューリングに関係無しで、ＲＬＦ測定ＲＳの周期的転送が保障できる。このような類型のＲＳに対する時間／周波数資源は検索空間ＲＳ構成と別途に構成できる。
【０２３８】
−ワンショットまたは非周期的ＲＬＦ測定：ＲＬＦがトリガーリングにより遂行されることができ、一旦トリガーリングされればネットワークはＲＬＦ用ＲＳを転送することができる。１つの簡単な接近法はＲＬＦ測定のために仮定された検索空間上にＲＬＦトリガーリングメッセージを転送するものである。
【０２３９】
−多重ショットまたは半永久的（ｓｅｍｉ−ｐｅｒｓｉｓｔｅｎｔ）ＲＬＦ測定：半静的ＣＳＩ測定と類似するように、多重ショットまたは半永久的ＲＬＦ測定が構成されることができ、ＲＬＦ測定の活性化／不活性化が動的シグナリングを介して可能でありうる。
【０２４０】
共有ＲＳは広帯域ＲＳと称されることができる。広帯域ＲＳは制御の実際マッピングに関わらず、広帯域を通じて存在する制御チャンネル復調に使われるＲＳとして定義できる。少なくとも１つの制御チャンネルがあるか、またはＣＳＳ  ＣＯＲＥＳＥＴに対する構成がある場合、広帯域ＲＳが存在することができる。広帯域ＲＳはＣＯＲＥＳＥＴ帯域幅またはシステム帯域幅またはＵＥ特定帯域幅またはＵＥが構成される搬送波帯域幅を通じて転送できる。代案として、これは周期と共に広帯域ＲＳ転送の帯域幅で個別的に構成できる。
【０２４１】
例えば、（周期的信号でありうる）ＲＬＭ測定のために、ＣＳＩ−ＲＳまたはＳＳブロックが使われる場合、グループ共通ＰＤＣＣＨを介してのＳＦＩ（ｓｌｏｔ  ｆｏｒｍａｔｉｏｎ  ｉｎｄｉｃａｔｏｒ）が測定を取消すことができるか否かがより明確になる必要がある。ＳＦＩがＲＬＭ  ＣＳＩ−ＲＳ転送を有効化または無効化することができ、ＵＥが測定を遂行できない場合、ＵＥは以前の測定を使用して同期状態（ｉｎ−ｓｙｎｃ）及び非同期状態（ｏｕｔ−ｏｆ−ｓｙｎｃ）を相変らずアップデートすることができる。タイマーは、ＵＥが測定を遂行することができるか否かに関わらず、実行できる。ＵＥが測定を遂行することができない場合、タイマーは次の測定機会まで中断できる。これは、不必要に非同期状態及び同期状態タイマーが満了することを回避するためのものである。この接近法が使われる場合、ＵＥは測定を省略することができる。即ち、測定が完了しなければ、タイマーが再設定または満了または実行と関連して遅延できる。この動作は構成可能でありうる。これを回避するために、他の接近法はＲＬＭ  ＣＳＩ−ＲＳが半静的にＤＬ資源のみに転送される一方、他の資源はＲＬＭ測定のために無視されると仮定するものである。更に他の代案は、ＲＬＭ  ＲＳがグループ共通ＰＤＣＣＨによりオーバーライドされないと仮定するものである。
【０２４２】
候補チャンネルは、次の通りである。
【０２４３】
−ＣＳＳを介して転送される制御チャンネルがＲＬＦに対して使用できる。ＣＳＳから転送されることと仮定して制御チャンネルの仮設（即ち、テスト制御チャンネル）が使用できる。どんなＣＳＳを使用するのかを構成することもできる。または、任意のＣＳＳを使用することができる。
【０２４４】
−ＧＳＳを介して転送される制御チャンネルがＲＬＦに対して使用できる。どんなＧＳＳを使用するのかを構成することができる。または、任意のＧＳＳを使用することができる。
【０２４５】
−ＵＳＳを介して転送される制御チャンネルがＲＬＦに対して使用できる。どんなＵＳＳを使用するのかを構成することができる。または、任意のＵＳＳを使用することができる。
【０２４６】
−制御チャンネルの仮設に基づいて、チャンネル品質測定ＲＳが転送される検索空間がＲＬＦに対して使用できる。例えば、ＧＳＳ用共有ＲＳをＲＬＦに対して使用すれば、ターゲットＧＳＳをＲＬＦ測定に対して使用することができる。ＲＬＦに対してどんなＳＳを使用するのかを構成することができる。ＲＡＲに対するＣＳＳが基本値になることができる。
【０２４７】
共有ＲＳがＲＬＦ測定に対して使われる場合、共通制御の転送及び／又は共通データ転送に関わらず、少なくとも周期的にＲＬＦ−ＲＳが送信できる。
【０２４８】
３．制御及びデータの間の相異するビーム方向：
【０２４９】
例えば、制御チャンネルとデータチャンネルを転送するＴＲＰは異なることがある。この場合、制御及びデータに対するビーム方向が異なることがある。また、単一ＴＲＰですら、より微細な（ｆｉｎｅｒ）ビームがデータのために使われる一方、より概略的な（ｃｏａｒｓｅ）ビームは制御転送のために使われる。このような場合、受信機ビームを変更しなければならないこともある。これがサポートされ、データに対するビーム方向が動的に選択されれば、ＲＸビームスイッチングを許容するために制御とデータとの間のビームスイッチング間隔を保障しなければならない。追加的なギャップ無しで動作することができるデータ／制御ペア対に対する半静的構成も考慮することができる。データ指示に動的指示を使用する場合、ＣＳＩ−ＲＳ資源を使用して指示することができる。即ち、各々のＣＳＩ−ＲＳ資源に対して、個別的な最上のＲＸビーム方向／プリコーディングが利用できる。
【０２５０】
また、スイッチングギャップはデータ及び／又は制御から異なるビーム方向を使用するＣＳＩ−ＲＳを受信することに必要でありうる。異なるビーム方向を使用する場合にも制御とデータとの間に類似のギャップが必要でありうる。例えば、ＵＥが可能には相異するビーム方向（及びＴＸ／ＲＸビームペア）を有する多数のＣＳＩ−ＲＳ資源で構成されて適切なＣＳＩ−ＲＳを読み取るために、ＴＸ／ＲＸビームペアを設定することが必要でありうる。このような意味で、ＲＸビームをスイッチングするギャップが必要でありうる。ＳＲＳ転送またはＵＬ転送に対しても類似の問題が発生することがある。即ち、ＴＸビームが任意の２つのＵＬ転送の間で変更されれば、必要なＴＸビームスイッチングギャップが保障されなければならない。１つ以上のＵＬチャンネルが同時に転送され、相異するビーム方向が使われる場合、次のような接近法が考慮できる。
【０２５１】
−１つのチャンネルをドロップ（ｄｒｏｐ）する（例：ＵＣＩ優先順位、電力などに基づく）
【０２５２】
−１つのビーム方向に転送：ビーム方向はＵＣＩ優先順位などに基づいて決定できる。
【０２５３】
−構成されたビーム方向に転送する。動的または半静的ビーム方向変更が考慮される。
【０２５４】
−概略的な（ｃｏａｒｓｅｒ）ビーム方向に転送する。
【０２５５】
−より狭い（ｎａｒｒｏｗｅｒ）ビーム方向に転送する。
【０２５６】
ＲＸビームスイッチングまたはＴＸビームスイッチングギャップの観点から、ＣＰにギャップが存在できるか（したがって、ＣＰで一部のサンプルは無視／ドロップされてはならない）、または１つまたは一部のＯＦＤＭシンボルがギャップのために使用できる。プリコーディングが異なっても、全体方向が同一であれば（例えば、到達角度に対するＱＣＬ関係）、ビーム方向変更が発生しないことがある。この場合、追加ギャップが使われないことがある。制御とデータとの間のギャップには制御チャンネルの処理レイテンシーも含まれることができる。このような意味で、ビーム方向を変更するために、交差スロットスケジューリングが使用できる。そうでなければ、ＤＬ受信用制御／データのための制御チャンネルデコーディングを許容し（したがって、データのための適切なＲＸビームを準備する）追加的なギャップが必要でありうる。異に指示されない限り、ＵＥは少なくともＤＬ受信のために制御及びデータの間に同一の方向を仮定することができる。これは、少なくとも同一のサブフレームまたは同一スロットスケジューリングに対して仮定できるが、相異するビーム方向は交差スロットまたは交差サブフレームスケジューリングに使用できる。
【０２５７】
代案として、制御と対応するデータの間のギャップがより良い柔軟性のために常に許容できる。タイミングまたは両方の間のギャップが動的または半静的に指示されることもできる。ＵＥが可能には相異するＴＸ／ＲＸビームペアを有する多数のＣＯＲＥＳＥＴをモニタリングする必要がある場合、ＣＯＲＥＳＥＴ間にもギャップが考慮できる。また、制御及びデータに対する基本ビームが異なることがある。このような場合は、特にＵＥが制御チャンネルモニタリングのために多重ビーム方向に構成される場合に必要でありうる。このような場合に、ＵＥは制御ビーム方向と独立的に構成されるデータ受信のためのビーム方向が半静的に構成できると仮定することができる。多重−ビーム制御チャンネル構成で、次のオプションを考慮することができる。
【０２５８】
−制御チャンネルが検出される同一のビーム方向がデータのために使用できる。この場合、最後の制御チャンネルモニタリングとデータとの間に要求されるレイテンシーによって、相異するレイテンシーが仮定できる。例えば、ＵＥが多数のビーム方向（例えば、３個のビーム）で構成され、ＵＥが第２ビームで制御信号を検出すれば、ＵＥはデータ読取前に第３ビームを読み取る必要がありえ、これはビームスイッチングを必要とすることができる。したがって、データ読取前に、第３ビームからデータビーム（第２ビーム）へのビームスイッチングが必要でありうる。
【０２５９】
−異に指示されない限り、最終の制御モニタリングビームのビーム方向と同一のビーム方向がデータに対して使用できる。例えば、ＵＥが３個のビームで構成され、ＵＥが全てのビームを常にモニタリングする場合、最終に使われたビームと同一のビームがデータビームに対して使用できる。
【０２６０】
−制御ビームに関わらず、データ読取のための基本ビーム方向が使用できる。
【０２６１】
−ＵＥがギャップまたはレイテンシーの間、データをモニタリングする必要がないように制御及びデータ間に何時も一定のギャップが存在することができる。即ち、ＵＥが制御ビーム方向と動的に相異するデータビーム方向を構成できれば、制御及びデータ間にレイテンシーが常に仮定できる。ギャップの間、ＵＥがモニターする理由がなければ、ギャップの間、ＵＥはモニタリングを省略することができる。
【０２６２】
−制御チャンネルモニタリングのために多数のビームでＵＥが構成される場合、スイッチングギャップが考慮されれば、これはＣＰオーバーヘッドを増加させてＣＰに収容できる。
【０２６３】
−多数のビームがチャンネルを制御するように構成される場合、一旦ＵＥが制御チャンネルを検出すれば、ＵＥは他のビームをモニタリングする必要がないので、他のビーム方向のモニタリングを中断することができる。この接近法は、条件によって構成された多重ビームのうち、ネットワークが選択した場合のみに有用である。モニタリングを中断することによって、ＵＥは電力を節約することができる。また、ＣＳＳデータが転送されれば、ＵＥ観点から異なる資源セットがＣＳＳ及びＵＳＳで構成されない限り、ＵＳＳとＣＳＳとの間に同一のビームが使用できる。言い換えると、ＵＥが２つ以上のＣＯＲＥＳＥＴで構成され、各ＣＯＲＥＳＥＴが多重ビームで構成され、制御チャンネルがＣＯＲＥＳＥＴで検出されれば、ＵＥは与えられたＣＯＲＥＳＥＴに対して残りのビームをモニタリングすることを中断することができる。代案として、ＵＥは相変らず制御チャンネルの検出に関わらず、全ての構成されたビームをモニタリングする必要がありうる。
【０２６４】
ＰＵＳＣＨとＵＣＩ転送との間に異なるビームが使われれば、ＵＥはＰＵＳＣＨの１つまたは一部のシンボルをドロップして自律的にスイッチングギャップを生成することができる。ギャップはＰＵＳＣＨまたはＵＣＩ資源の終了のためにＤＣＩにより明示的に指示できる。
【０２６５】
ビーム方向はＤＣＩをスケジューリングして、及び／又は半静的に構成して指示することができる。ＵＥは（ＤＬ及びＵＬに対する）特定資源に対する特定ビーム方向を仮定することができ、即ち、特定資源が用いられる場合、暗示的にビーム方向が仮定できる。
【０２６６】
４．搬送波集成（ＣＡ；ｃａｒｒｉｅｒ  ａｇｇｒｅｇａｔｉｏｎ）
【０２６７】
ＵＥ観点からＣＡを見ることができる。ＵＥがより広い帯域幅をサポートするために多数のＲＦを備えると、ネットワークが単一広帯域搬送波を有することができるにも関わらず、ＣＡを通じて多数の搬送波がＵＥに構成できる。提案はＵＥが多数のＲＦを有する１つの広帯域搬送波で構成される場合にも適用できる。ＰＣｅｌｌがある場合、ＳＳブロック転送のビーム方向情報またはプリコーディング情報が補助セルまたはＳＩＢを介して指示できる。チャンネル相互性が使われる場合、これはＴＸ／ＲＸビーム間のペアリングを補助することができる。
【０２６８】
ＣＡが使われる場合、単一レベルＤＣＩ及び第２レベルＤＣＩが相異する搬送波から転送できるか、または共通チャンネルがＤＣＩと異なる搬送波から転送できる。例えば、スケジューリング搬送波またはＰＣｅｌｌがＵＥ複雑性／電力消費を最小化するためにＳＣｅｌｌから転送された各ＣＯＲＥＳＥＴのビーム方向情報を転送することができる。例えば、ＰＣｅｌｌ上の全てのスロットはＳＣｅｌｌ制御転送のために使われるビーム方向のリストを指示することができ、ＵＥは関連ビーム方向が使われる資源を聴取することができる。例えば、セルが可能な制御チャンネル転送のためにＮ個のビーム方向を有すれば、Ｎビットのビットマップは該当ビーム方向で任意の転送があるか否かを示す全てのスロットで、または一部の周期で転送できる。または、制御チャンネル転送のために使われるビーム方向リストが指示されることもできる。ＵＥがスケジューリング搬送波からこのような信号を検出できなければ、ＵＥは全ての可能な制御資源をデコーディングしようと試みることができるか、または対応するスロットに対するデコーディングを省略することもできる。
【０２６９】
代案として、多重ビーム動作のための共通信号は交差搬送波スケジューリングを通じて転送できる。即ち、ＵＥは異なる搬送波から共通制御信号を獲得することができる。交差搬送波スケジューリングが使われる場合、スケジューリングされた搬送波でＤＣＩをスケジューリングすることに必要な全ての情報、例えばヌメロロジー、資源セット、集成レベルなどが構成できる。即ち、一般的に、第１レベルＤＣＩは搬送波から転送されることができ、第２レベルＤＣＩは他の搬送波から転送できる。第１及び第２のＤＣＩ検索空間または資源に対する資源構成で、交差搬送波資源割り当て／構成がサポートできる。多重レベルＤＣＩが異なる搬送波からスケジューリングされる場合、次のような接近法が考慮できる（しかしながら、これに限定されるのではない）。
【０２７０】
−交差搬送波が第１レベルＤＣＩに対して使われれば、ＵＥ特定ＤＣＩが使用できる。即ち、第１レベルＤＣＩはグループ共通またはセル共通またはＵＥ特定か否かに関わらず、交差搬送波スケジューリングの場合に対してＵＥ毎にスケジューリングできる。ＵＥはＣ−ＲＮＴＩ（ｃｅｌｌ  ｒａｄｉｏ  ｎｅｔｗｏｒｋ  ｔｅｍｐｏｒａｒｙ  ｉｄｅｎｔｉｔｙ）またはＵＥ特定ＲＮＴＩに基づいて交差搬送波スケジューリングの場合に対して第１レベルＤＣＩを検索することができる。
【０２７１】
−第１レベルＤＣＩがセル共通またはグループ共通ＤＣＩである場合、別途のＲＮＴＩが上位階層シグナリングを介して各搬送波毎に構成できる。これは、スケジューリングされた搬送波に構成されたＲＮＴＩに基づいてＵＥが検索するＣＳＳまたはＵＳＳまたはＧＳＳを介してスケジューリングできる。
【０２７２】
−個別ＧＳＳは各交差搬送波スケジューリングされた搬送波に対して構成できる。ＵＥはスケジューリングされた搬送波に対して構成されたＧＳＳ内の自体−搬送波スケジューリング（ｓｅｌｆ−ｃａｒｒｉｅｒ  ｓｃｈｅｄｕｌｉｎｇ）場合に対して同一のＲＮＴＩを検索することができる。ＧＳＳはスケジューリング搬送波の構成された検索空間のうちの１つ以上に個別時間／周波数資源または候補集合で構成できる。
【０２７３】
−交差搬送波多重レベルＤＣＩ設計は単一ビーム搬送波及び多重ビーム搬送波が集成される場合、効果的でありうる。第１レベルＤＣＩは単一ビームを介して転送されることができ、多重ビームの場合のスケジューリングのための情報をより精製（ｒｅｆｉｎｅ）することができる。交差搬送波スケジューリングの場合、制御チャンネルは構成によってスロットの中間に存在することができる。
【０２７４】
より一般的に、ＣＳＳ、ＧＳＳ、ＵＳＳは、ＵＥが搬送波に接続できる限り、異なる搬送波で構成できる。例えば、ＰＣｅｌｌ及びＳＣｅｌｌ全てに対してＲＡＲ用ＣＳＳはＰＣｅｌｌに構成できる。別途の、または共有された検索空間が搬送波の間に構成できる。ヌメロロジーがＰＣｅｌｌとＳＣｅｌｌの間に異なる場合、交差搬送波スケジューリングは多少難しいことがある。したがって、交差搬送波スケジューリングまたは交差搬送波多重レベルＤＣＩまたは交差搬送波共通シグナリングは、少なくとも制御転送のためにスケジューリング搬送波とスケジューリングされた搬送波の間に同一のヌメロロジーでのみ構成できる。別途の検索空間が構成されれば、検索空間が異なる搬送波に構成されていてもＣＩＦ（ｃａｒｒｉｅｒ  ｉｎｄｉｃａｔｏｒ  ｆｉｅｌｄ）が必要でないことがある。共有検索空間を使用すれば、ＣＩＦが必要でありうる。２つ以上のＵＳＳが構成されれば、ＵＳＳは自体または交差搬送波スケジューリングで構成できる。
【０２７５】
一般的に、ＵＥは多数の検索空間に分割できるブラインド検出能力を有することができ、多数の検索空間はＵＥに構成された搬送波の１つまたはサブセットに配置できる。また、検索空間に互いに異なる時間資源を構成することによって、相異するタイミングで多数の検索空間の間にブラインド検出能力が共有できる。このような意味で、ＵＥのブラインド検出複雑性の増加を最小化するために、ＣＳＳまたはＧＳＳをＰＣｅｌｌのみに配置する代わりに、ＣＳＳまたはＧＳＳに対する相異する搬送波の間の時間分割が考慮できる（多数の搬送波の中で候補を分割することも考慮できる）。異なるＤＣＩサイズを仮定する場合、これは同一の搬送波のＣＳＳ及び／又はＧＳＳの間にも適用できる。
【０２７６】
スケジューリングＤＣＩ検索空間だけでなく、スロットの端またはＤｗＰＴＳの端で転送できるシンボルパンクチャリングの指示のような任意のシグナリングがまた交差搬送波を通じて転送できる。
【０２７７】
交差搬送波の場合に対する検索空間は検索空間の同一の資源内の異なる候補セットまたは検索空間のサブセットで構成できるので、自体搬送波及び交差搬送波間の曖昧性が発生することがある。この場合、自体搬送波は交差搬送波より高い優先順位を有することができ、第１レベルＤＣＩまたは共通ＤＣＩは第２レベルまたはＵＥ特定ＤＣＩより高い優先順位を有することができる。検索空間が自体搬送波または交差搬送波（または、自体ＢＷＰ及び交差ＢＷＰ）に分割される場合、これはＣＩＦまたはＢＷＰインデックスを運搬する必要がないことがある。
【０２７８】
ＵＣＩ転送に対しても類似するように、多重レベルＵＣＩ転送が考慮されることができ、相異する搬送波が相異する部分のＵＣＩまたはＵＣＩのレベルを転送することができる。また、ＵＥはＤＬ搬送波のＵＣＩが他のＵＬ搬送波で転送できるように構成できる。言い換えると、ＵＣＩが転送できるＤＬ搬送波とＵＬ搬送波との間のグループ化はＵＥ毎に、またはセル毎に、またはＵＥグループ毎に構成できる。例えば、ＵＥがＤＬより多いＵＬ搬送波で構成されれば、ＵＣＩセルが割り当てできる。他の例として、ＵＥがＦＤＤ  ＵＬ搬送波及びＴＤＤ  ＤＬ搬送波で構成される場合、相異するＵＬ及び相異するデュプレキシングがさらに考慮できる。ＴＤＤ及びＦＤＤがＤＬ及びＵＬ（または、ＵＬ及びＤＬ）に対して集成される場合、ＵＣＩ転送タイミングはＵＬ搬送波により定義できる。ＵＬ搬送波がＦＤＤであれば（即ち、ＵＣＩ転送のために全てのＵＬスロットが利用可能である）、基本的にＦＤＤタイミングが採択される。ＵＬ搬送波がＴＤＤであれば、ＵＣＩタイミングもＴＤＤに従うことができる。ＵＬ  ＨＡＲＱはＤＬデュプレキシング方式に従うことができる。ＤＬがＴＤＤであれば、ＵＬ  ＨＡＲＱ手続きはＴＤＤタイミングに従い、反対にＤＬはＦＤＤであり、ＵＬ  ＨＡＲＱ手続きはＦＤＤタイミングに従うことができる。ＰＵＣＣＨオフセットの観点から、ＡＣＫ／ＮＡＣＫ資源指示／オフセットはＵＬ搬送波のデュプレキシングに従うことができる。即ち、全ての構成が実際の転送が発生できる搬送波のデュプレキシングに従うことができる。
【０２７９】
ＬＴＥ−ＮＲ共存のために、ＴＤＤ  ＤＬ及びＦＤＤ  ＵＬを連関させる一例は、より良いカバレッジのためにＮＲ  ＵＬ転送のためにＬＴＥ  ＵＬスペクトルを用いることができる。この場合、ＵＥカバレッジによって、一部のＵＥは長いＰＵＣＣＨフォーマットを使用することができる一方、一部のＵＥは短いＰＵＣＣＨフォーマットを使用することができる。少なくともスロットサイズが７の場合、ＬＴＥとＮＲがタイトに同期化されてもＬＴＥサブフレームの中間に短いＰＵＣＣＨ転送が発生することがある。衝突を最小化するために、各々のＯＦＤＭシンボル内のＰＵＣＣＨ資源が相異するように構成できる。また、フォーマットによって異なる資源が異なるように構成できる。例えば、長いＰＵＣＣＨの場合、ＬＴＥ  ＰＵＳＣＨと衝突可能性を回避するためにＬＴＥ／ＰＵＣＣＨ領域を回避しながらＬＴＥ  ＰＵＳＣＨが予約できるようにシステム帯域幅エッジの近くに構成できる。ＰＵＳＣＨが始まることができるオフセットはＬＴＥ及びＮＲ  ＰＵＣＣＨ資源全てを含むことができる。短いＰＵＣＣＨが転送されれば、ＳＲＳシンボルと衝突すれば、ＰＵＣＣＨ資源がＳＲＳ構成のうちの１つになるように構成できる。即ち、１つのＵＥのＳＲＳ資源であるように、ＰＵＣＣＨはＳＲＳ帯域幅を介して転送できる。そうでなければ、短いＰＵＣＣＨ資源がＰＲＢで連続的に構成されてＬＴＥ  ＰＵＳＣＨとの効率よい多重化を可能にすることができる。
【０２８０】
一部の周波数ダイバーシティー利得を達成するために、１つ以上のブロックが短いＰＵＣＣＨ転送に割り当てできる。ＬＴＥ−ＮＲ共存の場合、ＬＴＥとＮＲとの間でホッピングパターンを整列する必要がありうる。これは、ＵＥ  ＢＷＰをＬＴＥホッピング帯域幅と同一に構成し、ＮＲ  ＵＬ  ＢＷＰを通じて同一のＬＴＥホッピングパターンを適用することによって遂行できる。これをサポートするために、少なくともＵＥがＬＴＥとＮＲとの間の共存を予想することができる周波数帯域で、ＵＥはＬＴＥ周波数ホッピングパターンをサポートすることと予想することができる。これは、ＤＣＩにより指示されたホッピングパターンのセットが周波数範囲毎に、またはセル毎に、またはＵＥ毎に、またはＢＷＰ毎に異なるように構成できることを意味する。
【０２８１】
５．ＣＳＳとＵＳＳ共有
【０２８２】
ＣＳＳまたはＧＳＳはＵＳＳと同一の時間／周波数資源を共有することができる。例えば、ＣＳＳまたはＧＳＳは、ＴＰＣ（ｔｒａｎｓｍｉｔ  ｐｏｗｅｒ  ｃｏｍｍａｎｄ）、フォールバックＤＣＩ、ＲＡＲに対するＲＡ−ＲＮＴＩなどを転送することに使用できる。ＣＳＳ／ＧＳＳは共通チャンネル転送にも使用できる。相異する帯域幅ＵＥが構成される場合、各ＵＥ毎にＵＳＳの相異する帯域幅が構成できる。このようなＵＥの間にＣＳＳまたはＧＳＳを共有するために、固定及び柔軟な資源がＣＯＲＥＳＥＴ内に定義できる。
【０２８３】
固定資源は次のような特性を有することができる。構成された資源がデータ転送のために予約できる。即ち、データは固定された資源でレートマッチングされるか、またはパンクチャリングできる。ＵＥが固定資源の最後のＯＦＤＭシンボルより早いデータのＯＦＤＭシンボルを手始めにスケジューリングされれば、固定資源はデータマッピングからレートマッチングできる。固定資源は転送ダイバーシティー方式により共有ＲＳ基盤の転送を有することができる。ＵＬ承認はデータレートマッチングで曖昧性を回避するために固定資源を通じて転送できる。代案として、ＵＥがデータにレートマッチングを遂行しなければならない最終ＣＣＥインデックスまたはＰＲＢインデックスは、他のＵＥ及び／又はＵＬ承認のためのＤＣＩを処理するためにＤＣＩで動的に指示できる。
【０２８４】
柔軟資源セットは固定資源と相異するＲＳ転送を有することができ、データレートマッチングは予約資源基盤または固定レートマッチングよりは検出されたＤＣＩに基づいて遂行できる。
【０２８５】
固定資源で、ＣＣＥからＲＥＧへのマッピングは周波数ダイバーシティーを達成するために周波数優先方式により遂行できる。柔軟な資源で、ＣＣＥからＲＥＧへのマッピングは第１時間または局部的な方式により遂行できる。即ち、資源類型によってＣＣＥからＲＥＧへのマッピングが異なることができる。ＣＣＥインデックスは固定資源でマッピングされて柔軟な資源で続けて使用できる。
【０２８６】
図１６は、本発明の一実施形態に従う固定／柔軟ＣＯＲＥＳＥＴ構成の例を図示する。固定または柔軟な資源に関わらず、一部の資源が予約できる。例えば、図１６を参照すると、相異する副帯域またはより小さい副帯域を有するＵＥをモニタリングするＵＥに使われる他のＣＳＳ／ＧＳＳ構成のために、一部の時間／周波数資源が予約できる。特に、制御チャンネルモニタリングのためのＵＥの帯域幅によって、相異する構成が適用できる。例えば、ＵＥ帯域幅がＭＭＨｚであり、制御チャンネルモニタリングのためにＭ／２ＭＨｚが使われる場合、Ｍ／２ＭＨｚに対する第１ブロックの構成またはＭ／２ＭＨｚに対する第２ブロックの構成がＵＥに構成できる。固定資源セットはＵＥ制御モニタリング帯域幅より小さく構成されて帯域幅適応の場合に、一層小さい帯域幅を有するＵＥ及び／又はフォールバック動作をサポートするＵＥとの共有をサポートすることができる。
【０２８７】
図１７は、本発明の一実施形態に従うＣＣＥマッピングの一例を示す。固定資源でＲＥＧとＣＣＥとの間の分散マッピングを使用し、柔軟な資源で局部マッピングを使用する場合、ＣＣＥマッピングは図１６のＭＭＨｚの場合、制御資源構成を仮定して図１７に従うことができる。固定及び柔軟資源に対するＵＳＳ／ＣＳＳマッピングの観点から、ＵＳＳまたはＣＳＳまたはＵＳＳ／ＣＳＳは、各々固定／柔軟資源にマッピングできる。
【０２８８】
６．ブラインド検出能力
【０２８９】
一般的に、ＵＥは多数の検索空間に分割できるブラインド検出能力を有することができ、多数の検索空間はＵＥに構成された搬送波のうちの１つまたはサブセットに配置できる。また、検索空間間に互いに異なる時間資源を構成することによって、ブラインド検出能力が相異するタイミングで多数の検索空間間に共有することができる。このような意味で、ＵＥのブラインド検出複雑性増加を最小化するために、ＣＳＳまたはＧＳＳをＰＣｅｌｌのみに配置する代わりに、ＣＳＳまたはＧＳＳに対する相異する搬送波間の時間分割が考慮できる（多数の搬送波のうち、候補を分割することも考慮できる）。異なるＤＣＩサイズを仮定する場合、これはまた同一の搬送波のＣＳＳ及び／又はＧＳＳの間に適用されることもできる。
【０２９０】
ＵＥブラインド検出は、次の通り２つの異なるメカニズムに定義できる。
【０２９１】
−最大ブラインド検出数は仕様で予め定義できる。この接近法が使われる場合、基準ヌメロロジーが使用できる。または、ヌメロロジー別に異なる最大ブラインド検出数を定義することができる。
【０２９２】
−ＵＥは自身のブラインド検出能力を報告することができる。ＵＥが自身のブラインド検出能力を報告する場合、ＵＥはまた基準ヌメロロジーを使用することができる。基準ヌメロロジーより大きい副搬送波間隔に対して、ブラインド検出数は線形的に減少できる。基準ヌメロロジーがより小さい副搬送波間隔に対して、ブラインド検出数は同一に維持されるか、または線形的に増加できる。代案として、ＵＥはサポートされるヌメロロジーと共に自身のブラインド検出能力を報告することができる。ＵＥは自身の能力が指定された値より大きい場合、自身のブラインド検出能力を報告することができる。選択的に、ＵＥは指定された最大値より大きい値をサポートする場合、自身のブラインド検出能力を報告することができる。
【０２９３】
最大ブラインド検出数を定義する場合、次のような接近法が考慮できる。
【０２９４】
−与えられたヌメロロジーでスロット当たり総ブラインド検出数を定義する：構成されたＣＯＲＥＳＥＴ数及びデューレーションに関わらず、全体ブラインド検出数がスロット内に定義できる。この場合、ブラインド検出はスロット内の多数個のＣＯＲＥＳＥＴに分割されなければならない。異なるヌメロロジーが使われれば、この接近法は多少難しいことがある。この場合、最も大きい（または、最も小さい、または基準）副搬送波間隔に基づいた全体ブラインド検出が仮定されることができ、多数のＣＯＲＥＳＥＴに分割できる。
【０２９５】
−与えられたヌメロロジーを使用してＯＦＤＭシンボル当たり総ブラインド検出数（‘ｍａｘ−ＢＤ’）を定義する：この場合、総ブラインド検出は最も大きい副搬送波間隔に基づいて定義できる。ヌメロロジーのうちの１つのＣＯＲＥＳＥＴが最も大きい副搬送波間隔に基づいて１つ以上のＯＦＤＭシンボルに亘っている場合、最大ブラインド検出は‘ｍａｘ−ＢＤ’またはｍ＊‘ｍａｘ−ＢＤ’でありうる。ここで、ｍは与えられたヌメロロジーを有するＣＯＲＥＳＥＴに対する最大副搬送波間隔に基づいたＯＦＤＭシンボルの数である。‘ｍａｘ−ＢＤ’はまた基準ヌメロロジーまたは最小副搬送波間隔に基づいて定義できる。この場合、ヌメロロジーによって‘ｍａｘ−ＢＤ’が増加または減少することができる。または、ヌメロロジーに関わらず、同一の数の‘ｍａｘ−ＢＤ’を使用することができ、適切な処理時間はＵＥシグナリングまたは構成により制御及びデータ間の最小往復時間（ＲＴＴ；ｒｏｕｎｄ−ｔｒｉｐ  ｔｉｍｅ）または最小処理時間で処理できる。即ち、最小処理時間がヌメロロジーに独立的であれば、実際ブラインド検出及び処理されたＴＢＳなどは副搬送波間隔によって線形的にスケーリングできる。そうでなければ、ヌメロロジーが増加するにつれてスロットの実際最小処理時間が増加することがある。
【０２９６】
ＵＥがスロットデューレーションより小さい制御チャンネルモニタリングをサポートするか否かに関するＵＥ性能によっていずれか１つの接近法が使用できる。ＵＥがスロットデューレーションより小さい制御モニタリング間隔をサポートすれば、２番目の接近法が使用できる。即ち、代案的な接近法は与えられたヌメロロジーを有するＯＦＤＭシンボルの数（ｎ）毎にｍａｘ−ＢＤを定義するものであり、ここで、ｎはＵＥがサポートする最小制御間隔モニタリングデューレーションとして定義される。相異するｎが相異するＵＥによりサポートできる。また、ＵＥがスロットより小さい制御チャンネルモニタリングをサポートできるか否かをＵＥが指示することができ、それなら制御モニタリング間隔の最小サイズはいくらなのかを指示することができる。構成で、必要な場合、ヌメロロジーが指示されることもできる（または、基準ヌメロロジーを使用することと仮定される）。そうでなければ、その能力が最も大きい副搬送波間隔に基づいて報告されると仮定すれば、ＵＥによりサポートされる全てのヌメロロジーに亘って同一の値が使用できる。即ち、ＵＥは自身の最小間隔内で自身の最小制御モニタリング間隔及び総ＢＤを報告することができる。特に、最小制御モニタリング間隔はＵＥがサポートする帯域幅と関連できる。サポートされる帯域幅が小さければ、最小デューレーションが一般的に一層大きいことがある。
【０２９７】
例えば、基準ヌメロロジーは１５ｋＨｚ副搬送波間隔であり、ｍａｘ−ＢＤはＯＦＤＭシンボル当たり８と定義されると仮定する。ＵＥが３０ｋＨｚ副搬送波間隔を使用すれば、ＯＦＤＭシンボル当たりｍａｘ−ＢＤは４でありうる。ＣＯＲＥＳＥＴデューレーションが１の場合、ｍａｘ−ＢＤが４でありうる。ＣＯＲＥＳＥＴデューレーションが２の場合、ｍａｘ−ＢＤは（オプションによって）４または８でありうる。
【０２９８】
７．ＲＭＳＩ  ＣＯＲＥＳＥＴ構成
【０２９９】
ＰＢＣＨで、ＲＭＳＩ  ＣＯＲＥＳＥＴの構成が指示される必要がある。資源の面で、次の情報が考慮できる。
【０３００】
−帯域幅
【０３０１】
−周波数位置
【０３０２】
−モニタリング間隔
【０３０３】
−ヌメロロジー
【０３０４】
−ＣＯＲＥＳＥＴデューレーション
【０３０５】
−ＲＥＧバンドル構成
【０３０６】
また、ＲＭＳＩＰＤＳＣＨ自体に対する情報のために、帯域幅、周波数位置（または、ＢＷＰ）、及びヌメロロジーに関する情報が指示される必要がありうる。
【０３０７】
帯域幅の場合、ＲＭＳＩ  ＣＯＲＥＳＥＴに対して次のオプションが考慮できる。
【０３０８】
−ＵＥ最小帯域幅と同一（これは周波数範囲毎に定義できる）
【０３０９】
ＵＥ最小帯域幅の半分
【０３１０】
−ＳＳブロックと同一
【０３１１】
−ＳＳブロックに対するＰＲＢと同一の個数であり、実際の帯域幅はＰＢＣＨとＲＭＳＩ  ＣＯＲＥＳＥＴで使われるヌメロロジーによって異なることがある。
【０３１２】
周波数位置に対して、ＲＭＳＩ  ＣＯＲＥＳＥＴとＳＳブロックとの間に同一の中心を共有すると見なされることができる。ＳＳブロックの中心と搬送波中心との間のオフセットによってＰＢＣＨヌメロロジーに基づいたＲＢ基準オフセットが追加で指示されることができ、ＲＭＳＩ  ＣＯＲＥＳＥＴの中心が該当オフセットに遷移（ｓｈｉｆｔ）できる。オフセット値は−Ｋ−１、−Ｋ−２．．．０、１．．．Ｋ−１でありえ、ここで、ＲＭＳＩ副搬送波間隔がＰＢＣＨの間隔より小さい場合、Ｋは０であり、ＳＣｉがＲＭＳＩに対して使われて、ＳＣ０がＰＢＣＨのヌメロロジーであれば、Ｋ＝ＳＣｉ／ＳＣ０である。ＳＳブロックの周辺のＵＥ最小帯域幅内でＲＭＳＩ  ＣＯＲＥＳＥＴの左／右遷移に対して一部エントリーが考慮できる。ＵＥは、この場合、ＳＳブロックに接続するために自身の中心周波数をスイッチングせざるを得ない。多数のＳＳブロックの間でＲＭＳＩ共有を許容する追加エントリーが考慮できる。搬送波の中心を指示できなければ搬送波の中心とＲＭＳＩ  ＣＯＲＥＳＥＴとの間のオフセットを指示することができる。
【０３１３】
ＲＭＳＩ  ＣＯＲＥＳＥＴに対するモニタリング間隔の場合、周期及びオフセットが構成できる。または、単に周期性が構成され、オフセットはＳＳブロックインデックスに基づいて決定できる。
【０３１４】
ＲＭＳＩに対して同一のヌメロロジーと１つの他の候補（例えば、６ＧＨｚ以下の３０ｋＨｚ）の間に、ＲＭＳＩ  ＣＯＲＥＳＥＴに対するヌメロロジーに対し、１ビットフィールドと指示できる。
【０３１５】
ＣＯＲＥＳＥＴデューレーションの間、最大ＣＯＲＥＳＥＴデューレーションまたは制御領域サイズは搬送波で使われたスロット長さに基づいて予め定義できる。スロットサイズによって、制御領域サイズは異なることがある（例えば、７個のシンボルスロットは１つのシンボル制御領域を含むが、１４個のシンボルスロットは２つのシンボル制御領域を含む）。ＲＭＳＩのヌメロロジーがＰＢＣＨのヌメロロジーより大きい場合、ＰＢＣＨのヌメロロジーに基づいてＰＢＣＨで７または１４の間のスロットデューレーションが指示されることができ、制御領域の数は７シンボルの場合、１＊Ｋ（Ｋ＝ＳＣｉ／ＳＣ０）でありえ、１４シンボルスロットの場合、２＊Ｋである。反対の場合、ＰＢＣＨのための７個のシンボルスロットはサポートされないこともあり、１つのシンボル制御領域が仮定されることもできる。制御領域内でＣＯＲＥＳＥＴのデューレーションは基本値（例：６ＧＨｚ以下の制御領域デューレーションと同一のサイズ及び６ＧＨｚ以上の１つのシンボルまたは周波数範囲に関わらず、常に１つのシンボル）でありうる。ＣＯＲＥＳＥＴデューレーションの間、１つのシンボルを仮定する場合、制御領域デューレーションは各スロットで転送された可能なビーム数を意味することができる。該当情報に基づいて、相異するビームの中にＴＤＭがあれば、ＵＥはＲＭＳＩ  ＣＯＲＥＳＥＴモニタリングのために対応するビームに対するオフセットを決定することができる。
【０３１６】
ＲＥＧバンドルサイズの場合、ＲＥＧバンドルサイズはＣＯＲＥＳＥＴデューレーションに基づいて決定できる。または、ＣＯＲＥＳＥＴデューレーションに関わらず、これは例えば、２ＲＢ＊１シンボルまたは６ＲＥＧ（周波数／時間ドメイン）に固定できる。ＲＥＧ−ＣＣＥマッピングの観点から、分散／インターリービングされたオプションが常に使用できる。
【０３１７】
広帯域ＲＳ転送のために、広帯域ＲＳがＲＭＳＩ  ＣＯＲＥＳＥＴに使われる場合、次のオプションが考慮できる。
【０３１８】
−ＲＭＳＩ  ＣＯＲＥＳＥＴ上の搬送波周波数の中心及びオフセットは搬送波に亘って広帯域ＲＳが生成できるように（周波数範囲毎に異なることができる最大システム帯域幅を仮定して）ＵＥに知られることができる。
【０３１９】
−広帯域ＲＳはＲＭＳＩ  ＣＯＲＥＳＥＴ内で局部的に生成されることができ、ＲＭＳＩ  ＣＯＲＥＳＥＴ情報はＲＲＣ＿ＣＯＮＮＥＣＴＥＤ  ＵＥに指示できるので、ＵＥは相異するＲＳスクランブリングが搬送波のＲＭＳＩ  ＣＯＲＥＳＥＴ内で使用できることを知るようになる。
【０３２０】
−広帯域ＲＳはＳＳブロックの中心に基づいて局部的に生成できる。広帯域ＲＳはＲＳ上で連結されることができ、各々のＲＳは各々のＳＳブロック周囲に生成できる。このために、ＵＥは搬送波内のＳＳブロックの情報（少なくとも周波数情報）で知られる必要がある。このような接近法のための帯域幅はＵＥが自身の最小帯域幅を超過してリチューニングされる必要がないと仮定すれば、ＵＥ最小帯域幅でありうる。可能なリチューニングでＵＥの最小帯域幅の２倍のような異なる帯域幅が考慮できる。この値はＲＭＳＩ  ＣＯＲＥＳＥＴの周波数位置情報と関連されることもできる。
【０３２１】
資源割り当て及びＵＥモニタリングのためのＲＭＳＩ  ＰＤＳＣＨのための帯域幅のために、次のオプションが考慮できる。
【０３２２】
−ＲＭＳＩ  ＣＯＲＥＳＥＴと同一
【０３２３】
−（ＰＲＢの数または実際の帯域幅の観点から）ＳＳブロックと同一
【０３２４】
−（ＣＯＲＥＳＥＴ構成に関わらず）ＳＳブロック周辺のＵＥ最小帯域幅と同一
【０３２５】
ＲＭＳＩ  ＰＤＳＣＨに使われるヌメロロジーに対し、次のオプションが考慮できる。
【０３２６】
−ＲＭＳＩ  ＣＯＲＥＳＥＴと同一
【０３２７】
−周波数範囲に定義された値に固定
【０３２８】
−制御に指示される
【０３２９】
−ＰＢＣＨに指示
【０３３０】
ＲＭＳＩ  ＰＤＳＣＨに対する周波数位置に対し、次のオプションが考慮できる。
【０３３１】
−整列されない場合、ＲＭＳＩ  ＣＯＲＥＳＥＴ構成と類似のメカニズムが考慮できる。
【０３３２】
−ＳＳブロック周囲のＵＥ最小帯域幅
【０３３３】
−周波数／時間ドメインでの資源割り当て（例えば、ＲＢＧサイズ、多重スロットスケジューリングなど）のために、次のオプションが考慮できる。
【０３３４】
−ＲＢＧサイズは周波数範囲毎に固定できる（ＵＥ最小帯域幅によって、ＲＢＧサイズがまた定義できる）。ＲＭＳＩ  ＰＤＳＣＨ転送のために構成された帯域幅によって異なるＲＢＧサイズを使用することができる。ＲＢＧグルーピングを始める位置を知らせるためにＲＢＧ開始位置／オフセットが指示されることもできる。オフセット値は０乃至Ｐ−１でありえ、ここで、ＰはＲＢＧサイズである。オフセットはＰＢＣＨのオーバーヘッドを減らすためにＤＣＩで指示されることもできる。代案として、これはＰＢＣＨに指示できる。ＰＲＢグリッドオフセット及びＲＢＧ開始位置／オフセットの共同指示も考慮することができる。
【０３３５】
−ＲＢＧサイズはまたＰＢＣＨまたはＤＣＩにより構成／指示できる。
【０３３６】
−他の指示がない限り、時間ドメインは単一スロットでありうる。ＲＭＳＩ  ＰＤＳＣＨスケジューリングに使われるＤＣＩオーバーヘッドまたはフォーマットはコンパクトＤＣＩでありうる。
【０３３７】
−集成レベル（ＡＬ；ａｇｇｒｅｇａｔｉｏｎ）のセット及び候補の数は少なくてもＲＭＳＩ  ＣＯＲＥＳＥＴに対して固定できる。同一のＣＯＲＥＳＥＴが異なるＣＳＳと共有される場合、異なるＡＬ／候補が以後に構成できる。
【０３３８】
ＲＭＳＩ  ＰＤＳＣＨのタイミング関係に対して、次のオプションが考慮できる。
【０３３９】
−予め固定されたタイミングが考慮されることができ、タイミングはＵＥの最小ＲＴＴ値のうち、最大値である最大ＵＥ  ＲＴＴタイミングにより決定できる。
【０３４０】
−動的タイミング指示が考慮できる。
【０３４１】
図１８は、本発明の一実施形態に従うＲＭＳＩ及びＳＳブロック転送の例を図示する。図１８で、ＳＣｉ＝２＊ＳＣ０と仮定する。ＲＭＳＩ  ＰＤＳＣＨは仕様で定義されたＳＳブロック転送またはＳＳブロック周辺でレートマッチングできる。活性ＳＳブロックの情報がＵＥに知られないことがあるので、可能なＳＳブロックがレートマッチングできる。代案として、活性ＳＳブロックはＰＢＣＨに指示されることができ、実際レートマッチングは活性ＳＳブロックに基づくことができる。
【０３４２】
図１９は、本発明の一実施形態に従うＲＢＧ及びＰＲＢグリッドオフセットの例を図示する。ＲＭＳＩがＰＢＣＨと同一のヌメロロジーを使用し、他の転送が異なるヌメロロジーを使用する場合、類似のシグナリングがＲＭＳＩで指示されることもできる。ＲＭＳＩまたは他のＳＩまたはＵＥ特定シグナリングからシグナリングされれば、各ヌメロロジー毎に値がまた指示できる。
【０３４３】
８．ＰＲＡＣＨ構成
【０３４４】
ＰＲＡＣＨ構成は中心及びＰＲＡＣＨヌメロロジーを含むことができる。相異する周波数帯域で相異するＰＲＡＣＨ資源を考慮すれば、周波数帯域指示がまたＰＲＡＣＨ構成に含まれることができる。該当情報が利用可能でなければ、ＤＬと同一の帯域が使用できる。ＵＬに対するＰＲＢインデクシングの観点から、基準はＰＲＡＣＨ周波数の中心を基礎とすることができる。各々のＰＲＡＣＨ中心周波数に対して、ＰＲＢグリッド観点からのオフセットが指示できる。２つのＰＲＡＣＨ資源の間のギャップはＰＢＣＨに使われるヌメロロジーの副搬送波間隔またはＲＢの倍数でありうる。ＳＳブロックと類似するように、ＵＥがＭｓｇ３転送のために使用できるＰＲＡＣＨ転送の中心付近でＰＲＢグリッドを生成すれば、相異するヌメロロジーに対してオフセットが指示できる。Ｍｓｇ３転送のための帯域幅部分構成の場合、ＵＥ最小ＵＬ帯域幅はＰＲＡＣＨ周辺でありうる。ＲＭＳＩ  ＣＯＲＥＳＥＴ構成と類似するように、Ｍｓｇ３帯域幅部分の帯域幅及び周波数位置がＰＲＡＣＨ構成と共に構成できる。
【０３４５】
ＰＲＡＣＨ資源が同一の帯域になければ、中心＆ＰＲＡＣＨ資源の間のオフセットが少なくとも指示できる。
【０３４６】
図２０は、本発明の実施形態に従ってＵＥによりシステム情報のための制御資源セットを決定する方法を示す。前述した本発明がこの実施形態に適用できる。
【０３４７】
ステップＳ１００で、ＵＥはネットワークからＳＳブロックを介してＲＭＳＩに対するＣＯＲＥＳＥＴの構成を受信する。ステップＳ１１０で、ＵＥは構成によってＲＭＳＩに対するＣＯＲＥＳＴを決定する。ＳＳブロックはＰＢＣＨを含む。
【０３４８】
ＲＭＳＩ用ＣＳＳの時間及び周波数位置はＳＳブロックと整列できる。この場合、制御資源セットに対するビームインデックスはＳＳブロックに対するビームインデックスと同一でありうる。前記構成はＲＭＳＩ用ＣＳＳの帯域幅、オフセットにより表現される周波数位置、ＲＭＳＩ用ＣＳＳに使われたヌメロロジー、ＲＭＳＩモニタリング用ＣＳＳの周期または制御資源セットのデューレーション及び開始シンボルのうち、少なくとも１つを含むことができる。
【０３４９】
または、ＲＭＳＩ用ＣＳＳの周波数位置がＳＳブロックと整列される。または、ＲＭＳＩ用ＣＳＳの周波数位置がＳＳブロックと整列されない。または、ＣＳＳの周波数位置がＳＳブロックと整列されないが、ＲＭＳＩの周波数位置がＳＳブロックと整列される。
【０３５０】
ＲＭＳＩに対するＣＯＲＥＳＥＴが複数のビームの各々毎に決定できる。また、ＲＭＳＩに対するＣＯＲＥＳＥＴが複数のＢＷＰの各々毎に決定される。
【０３５１】
ＲＭＳＩに対するＣＯＲＥＳＥＴはＳＳブロックに対する資源と重畳するＯＦＤＭシンボル上にレートマッチングできる。または、ＲＭＳＩに対するＣＯＲＥＳＥＴはＳＳブロックに対する資源の全体ＯＦＤＭシンボル上にレートマッチングできる。
【０３５２】
各々のビーム方向毎にＲＭＳＩのための別途の資源が指示できる。ＣＳＩ−ＲＳが構成される前にＳＳブロックが構成できる。
【０３５３】
ＳＳブロックはＰＳＳまたはＳＳＳのうちの少なくとも１つを含むことができ、ＰＳＳまたはＳＳＳのうちの少なくとも１つはＲＬＭに対して使用できる。
【０３５４】
図２１は、本発明の一実施例を具現するための無線通信システムを示す。
【０３５５】
ネットワークノード８００は、プロセッサ８１０、メモリ８２０及び送受信部８３０を含む。プロセッサ８１０は、本明細書で説明された提案された機能、手順及び／または方法を具現するように構成されることができる。無線インターフェースプロトコルの階層がプロセッサ８１０で具現されることができる。メモリ８２０は、プロセッサ８１０と動作可能に結合され、プロセッサ８１０を動作させるための多様な情報を格納する。送受信部８３０は、プロセッサ８１０と動作可能に結合され、無線信号を送信及び／または受信する。
【０３５６】
ＵＥ９００は、プロセッサ９１０、メモリ９２０及び送受信部９３０を含む。プロセッサ９１０は、本明細書で説明された提案された機能、手順及び／または方法を具現するように構成されることができる。無線インターフェースプロトコルの階層がプロセッサ９１０で具現されることができる。メモリ９２０は、プロセッサ９１０と動作可能に結合され、プロセッサ９１０を動作させるための多様な情報を格納する。送受信部９３０は、プロセッサ９１０と動作可能に結合され、無線信号を送信及び／または受信する。
【０３５７】
プロセッサ８１０、９１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を含むことができる。メモリ８２０、９２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。送受信部８３０、９３０は、無線周波数信号を処理するためのベースバンド回路を含むことができる。実施例がソフトウェアで具現される時、前述した技法は前述した機能を遂行するモジュール（過程、機能など）で具現されることができる。モジュールは、メモリ８２０、９２０に格納され、プロセッサ８１０、９１０により実行されることができる。メモリ８２０、９２０は、プロセッサ８１０、９１０の内部または外部にあり、よく知られた多様な手段でプロセッサ８１０、９１０と連結されることができる。
【０３５８】
前述した例示的なシステムにおいて、前述した本発明の特徴によって実現されることができる方法は、流れ図に基づいて説明された。便宜上、方法は、一連のステップまたはブロックで説明したが、請求された本発明の特徴は、ステップまたはブロックの順序に限定されるものではなく、あるステップは、他のステップと、前述と異なる順序にまたは同時に発生できる。また、当業者であれば、流れ図に示すステップが排他的でなく、他のステップが含まれるか、流れ図の１つまたはそれ以上のステップが本発明の範囲に影響を及ぼさずに削除可能であることを理解することができる
【図１】
2020502907.tif 000003
【図２】
2020502907.tif 000004
【図３】
2020502907.tif 000005
【図４】
2020502907.tif 000006
【図５】
2020502907.tif 000007
【図６】
2020502907.tif 000008
【図７】
2020502907.tif 000009
【図８】
2020502907.tif 000010
【図９】
2020502907.tif 000011
【図１０】
2020502907.tif 000012
【図１１】
2020502907.tif 000013
【図１２】
2020502907.tif 000014
【図１３】
2020502907.tif 000015
【図１４】
2020502907.tif 000016
【図１５】
2020502907.tif 000017
【図１６】
2020502907.tif 000018
【図１７】
2020502907.tif 000019
【図１８】
2020502907.tif 000020
【図１９】
2020502907.tif 000021
【図２０】
2020502907.tif 000022
【図２１】
2020502907.tif 000023
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
無線通信システムにおける端末（ＵＥ；ｕｓｅｒ  ｅｑｕｉｐｍｅｎｔ）により遂行される方法において、
ＰＢＣＨ（ｐｈｙｓｉｃａｌ  ｂｒｏａｄｃａｓｔ  ｃｈａｎｎｅｌ）を介してネットワークからＲＭＳＩ（ｒｅｍａｉｎｉｎｇ  ｓｙｓｔｅｍ  ｉｎｆｏｒｍａｔｉｏｎ）のための制御資源セットの構成を受信し、
前記構成に基づいて前記ＲＭＳＩのための前記制御資源セットを決定し、
ＳＳ（ｓｙｎｃｈｒｏｎｉｚａｔｉｏｎ  ｓｉｇｎａｌ）ブロックにマッピングされるビームに基づいて前記ＲＭＳＩのための前記制御資源セットで ＤＣＩ（ｄｏｗｎｌｉｎｋ  ｃｏｎｔｒｏｌ  ｉｎｆｏｒｍａｔｉｏｎ）を受信するために制御チャンネルをモニタリングし、
前記ＤＣＩに基づいて前記ネットワークから前記ＲＭＳＩを受信することを含む、方法。
【請求項２】
前記ＲＭＳＩのためのＣＳＳ（ｃｏｍｍｏｎ  ｓｅａｒｃｈ  ｓｐａｃｅ）の時間及び周波数位置はＴＤＭ（ｔｉｍｅ  ｄｉｖｉｓｉｏｎ  ｍｕｌｔｉｐｌｅｘｉｎｇ）またはＦＤＭ（ｆｒｅｑｕｅｎｃｙ  ｄｉｖｉｓｉｏｎ  ｍｕｌｔｉｐｌｅｘｉｎｇ）のうち、少なくとも１つにより前記ＳＳブロックと整列される、請求項１に記載の方法。
【請求項３】
前記構成は、前記ＲＭＳＩのための前記ＣＳＳの帯域幅、オフセットにより表現される周波数位置、前記ＲＭＳＩのための前記ＣＳＳに対して使われるヌメロロジー、前記ＲＭＳＩのモニタリングのための前記ＣＳＳの周期、またはデューレーション及び前記制御資源セットの開始シンボルのうち、少なくとも１つを含む、請求項２に記載の方法。
【請求項４】
前記ＲＭＳＩのためのＣＳＳの周波数位置は、前記ＳＳブロックと整列される、請求項１に記載の方法。
【請求項５】
前記ＲＭＳＩのためのＣＳＳの周波数位置は、前記ＳＳブロックと整列されない、請求項１に記載の方法。
【請求項６】
前記ＲＭＳＩのためのＣＳＳの周波数位置は前記ＳＳブロックと整列されないが、前記ＲＭＳＩの周波数位置は前記ＳＳブロックと整列される、請求項１に記載の方法。
【請求項７】
前記ＲＭＳＩのための前記制御資源セットは、各複数のビーム別に決定される、請求項１に記載の方法。
【請求項８】
前記ＲＭＳＩのための前記制御資源セットは、各複数のＢＷＰ（ｂａｎｄｗｉｄｔｈ  ｐａｒｔ）別に決定される、請求項１に記載の方法。
【請求項９】
前記ＲＭＳＩのための前記制御資源セットは、前記ＳＳブロックのための資源と重ねるＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボル上でレートマッチングされる、請求項１に記載の方法。
【請求項１０】
前記ＲＭＳＩのための前記制御資源セットは、前記ＳＳブロックのための資源の全体ＯＦＤＭシンボル上でレートマッチングされる、請求項１に記載の方法。
【請求項１１】
各ビーム方向に対して前記ＲＭＳＩのための別個の資源が指示される、請求項１に記載の方法。
【請求項１２】
前記ＳＳブロックは、ＣＳＩ−ＲＳ（ｃｈａｎｎｅｌ  ｓｔａｔｅ  ｉｎｆｏｒｍａｔｉｏｎ  ｒｅｆｅｒｅｎｃｅ  ｓｉｇｎａｌ）が構成される前に構成される、請求項１に記載の方法。
【請求項１３】
前記ＳＳブロックは、ＰＳＳ（ｐｒｉｍａｒｙ  ｓｙｎｃｈｒｏｎｉｚａｔｉｏｎ  ｓｉｇｎａｌ）またはＳＳＳ（ｓｅｃｏｎｄａｒｙ  ｓｙｎｃｈｒｏｎｉｚａｔｉｏｎ  ｓｉｇｎａｌ）のうち、少なくとも１つを含み、
前記ＰＳＳまたはＳＳＳのうちの少なくとも１つは、ＲＬＭ（ｒａｄｉｏ  ｌｉｎｋ  ｍｏｎｉｔｏｒｉｎｇ）のために使われる、請求項１に記載の方法。
【請求項１４】
無線通信システムにおける端末（ＵＥ；ｕｓｅｒ  ｅｑｕｉｐｍｅｎｔ）において、
メモリと、
送受信部と、
前記メモリ及び前記送受信部と連結されるプロセッサとを含み、
前記端末は、
ＰＢＣＨ（ｐｈｙｓｉｃａｌ  ｂｒｏａｄｃａｓｔ  ｃｈａｎｎｅｌ）を介してネットワークからＲＭＳＩ（ｒｅｍａｉｎｉｎｇ  ｓｙｓｔｅｍ  ｉｎｆｏｒｍａｔｉｏｎ）のための制御資源セットの構成を前記送受信部を通じて受信し、
前記構成に基づいて前記ＲＭＳＩのための前記制御資源セットを決定し、
ＳＳ（ｓｙｎｃｈｒｏｎｉｚａｔｉｏｎ  ｓｉｇｎａｌ）ブロックにマッピングされるビームに基づいて前記ＲＭＳＩのための前記制御資源セットでＤＣＩ（ｄｏｗｎｌｉｎｋ  ｃｏｎｔｒｏｌ  ｉｎｆｏｒｍａｔｉｏｎ）を受信するために制御チャンネルを前記送受信部を通じてモニタリングし、
前記ＤＣＩに基づいて前記ネットワークから前記ＲＭＳＩを前記送受信部を通じて受信するように構成される、端末。
【国際調査報告】
2020502907.tif 000024
2020502907.tif 000025